(57)【要約】      （修正有）【課題】ワイヤレス通信環境中でフェムトセル機能を使用可能にする。【解決手段】非フェムト対応デバイスおよび／またはフェムト対応デバイスは、フェムト対応ピア・ツー・ピア通信のために同じ地理的エリア中のフェムト対応デバイスと通信することが可能であり、２つの非フェムト対応デバイス間のハブとして動作するフェムト対応デバイスは、その２つのデバイスにフェムトセル機能を与える。２つの非フェムト対応デバイスが地理的に近接しているかどうかを判断し、地理的に近接している場合はフェムト対応デバイスへの接続のハンドオフを実行する。【選択図】図１４
2015084532.tif 000002
【特許請求の範囲】
【請求項１】
フェムトセル機能を使用可能にするための方法であって、
第２のデバイスと通信するための発信メッセージを第１のデバイスから受信することと、
前記第１のデバイスと前記第２のデバイスとが地理的に近接しているかどうかを判断することと、
フェムト対応デバイスが前記第１のデバイスと前記第２のデバイスとに地理的に近接しているかどうかを判断することと、
前記第１のデバイスと前記第２のデバイスと前記フェムト対応デバイスとが地理的に近接している場合、前記フェムト対応デバイスへの前記第１のデバイスのためのハンドオフを実行することと、
を備える方法。
【請求項２】
前記フェムト対応デバイスがモバイルフェムト対応デバイスである請求項１に記載の方法。
【請求項３】
前記第１のデバイスが前記フェムト対応デバイスである請求項２に記載の方法。
【請求項４】
前記第２のデバイスが前記フェムト対応デバイスである請求項２に記載の方法。
【請求項５】
前記第１のデバイスと前記第２のデバイスとが非フェムト対応デバイスである請求項２に記載の方法。
【請求項６】
地理的近接度が、ロケーション情報を使用して判断される請求項１に記載の方法。
【請求項７】
地理的近接度を判断することが、
前記第１のデバイスと前記第２のデバイスと前記フェムト対応デバイスとが無線アクセス・ネットワーク（ＲＡＮ）のカバレージ内にあるかどうかを判断することと、
パイロットを送信するように前記フェムト対応デバイスに命令することと、
前記第１のデバイスと前記第２のデバイスとから前記パイロット信号の報告を受信することと、
前記パイロット信号の前記報告に基づいて、前記第１のデバイスと前記第２のデバイスと前記フェムト対応デバイスとが近接しているかどうかを判断することと、
を備える請求項１に記載の方法。
【請求項８】
前記第１のデバイスのユーザコードおよび検索要求を前記フェムト対応デバイスに通信することと、
前記フェムト対応デバイスから測定報告を受信することと、
をさらに備える請求項１に記載の方法。
【請求項９】
前記フェムト対応デバイスに擬似ランダム雑音（ＰＮ）オフセットと指定された周波数情報とを送信すること、
をさらに備える請求項１に記載の方法。
【請求項１０】
前記フェムト対応デバイスの能力しきい値と、前記フェムト対応デバイスの現在の負荷と、前記フェムト対応デバイスの信号強度と、前記フェムト対応デバイスによる送信のために利用可能な周波数と、前記フェムト対応デバイスのデータレートとからなるグループから選択された少なくとも１つのファクタに基づいて、前記ハンドオフを実行すべきかどうかを判断すること、
をさらに備える請求項１に記載の方法。
【請求項１１】
複数のフェムト対応デバイスが前記第１のデバイスと前記第２のデバイスとに地理的に近接しており、前記方法が、
前記複数のフェムト対応デバイスのうちの１つを選択することと、
前記選択されたフェムト対応デバイスへの前記第１のデバイスのためのハンドオフを実行することと、
をさらに備える請求項１に記載の方法。
【請求項１２】
前記フェムト対応デバイスが、近接度と、前記フェムト対応デバイスの能力しきい値と、前記フェムト対応デバイスの現在の負荷と、前記フェムト対応デバイスの信号強度と、前記フェムト対応デバイスによる送信のために利用可能な周波数と、前記フェムト対応デバイスのデータレートとからなるグループから選択された少なくとも１つに基づいて選択される請求項１１に記載の方法。
【請求項１３】
第２のデバイスと通信するための発信要求を第１のデバイスから受信するための手段と、
前記第１のデバイスと前記第２のデバイスとが地理的に近接しているかどうかと、フェムト対応デバイスが前記第１のデバイスと前記第２のデバイスとに地理的に近接しているかどうかとを判断するための手段と、
前記第１のデバイスと前記第２のデバイスと前記フェムト対応デバイスとが地理的に近接している場合、前記フェムト対応デバイスへの前記第１のデバイスのためのハンドオフを実行するための手段と、
を備えるワイヤレス通信装置。
【請求項１４】
前記第１のモバイル・デバイスと前記第２のモバイル・デバイスとの地理的近接度を判断するための前記手段が、
前記第１のデバイスと前記第２のデバイスと前記フェムト対応デバイスとが無線アクセス・ネットワーク（ＲＡＮ）のカバレージ内にあるかどうかを判断するための手段と、
パイロットを送信するように前記フェムト対応デバイスに命令するための手段と、
前記第１のデバイスと前記第２のデバイスとから前記パイロット信号の報告を受信するための手段と、
前記パイロット信号の前記報告に基づいて、前記第１のデバイスと前記第２のデバイスと前記フェムト対応デバイスとが近接しているかどうかを判断するための手段と、
を備える請求項１３に記載のワイヤレス通信装置。
【請求項１５】
第２のデバイスと通信するための発信要求を第１のデバイスから受信するための受信機と、
前記第１のデバイスと前記第２のデバイスとが地理的に近接しているかどうかと、フェムト対応デバイスが前記第１のデバイスと前記第２のデバイスとに地理的に近接しているかどうかとを判断するためのプロセッサと、
前記第１のデバイスと前記第２のデバイスと前記フェムト対応デバイスとが地理的に近接している場合、前記フェムト対応デバイスへの前記第１のデバイスのためのハンドオフを実行するための送信機と、
を備えるワイヤレス通信装置。
【請求項１６】
前記フェムト対応デバイスがモバイルフェムト対応デバイスである請求項１５に記載のワイヤレス通信装置。
【請求項１７】
前記第１のデバイスが前記フェムト対応デバイスである請求項１６に記載のワイヤレス通信装置。
【請求項１８】
前記第２のデバイスが前記フェムト対応デバイスである請求項１６に記載のワイヤレス通信装置。
【請求項１９】
前記第１のデバイスと前記第２のデバイスとが非フェムト対応デバイスである請求項１６に記載のワイヤレス通信装置。
【請求項２０】
前記プロセッサが、
前記第１のデバイスと前記第２のデバイスと前記フェムト対応デバイスとが無線アクセス・ネットワーク（ＲＡＮ）のカバレージ内にあるかどうかを判断することと、
パイロットを送信するように前記フェムト対応デバイスに命令することと、
前記第１のデバイスと前記第２のデバイスとから前記パイロット信号の報告を受信することと、
前記パイロット信号の前記報告に基づいて、前記第１のデバイスと前記第２のデバイスと前記フェムト対応デバイスとが近接しているかどうかを判断することと、
によって地理的近接度を判断するように構成された請求項１５に記載のワイヤレス通信装置。
【請求項２１】
前記送信機が、前記第１のデバイスのユーザコードおよび検索要求を前記フェムト対応デバイスに通信するように構成され、
前記受信機は、前記フェムト対応デバイスから測定報告を受信するように構成された請求項１５に記載のワイヤレス通信装置。
【請求項２２】
前記送信機は、前記フェムト対応デバイスに擬似ランダム雑音（ＰＮ）オフセットと指定された周波数情報とを送信するように構成された請求項１５に記載のワイヤレス通信装置。
【請求項２３】
前記プロセッサは、前記フェムト対応デバイスの能力しきい値と、前記フェムト対応デバイスの現在の負荷と、前記フェムト対応デバイスの信号強度と、前記フェムト対応デバイスによる送信のために利用可能な周波数と、前記フェムト対応デバイスのデータレートとからなるグループから選択された少なくとも１つの方法に基づいて、前記ハンドオフを実行すべきかどうかを判断するように構成された請求項１５に記載のワイヤレス通信装置。
【請求項２４】
複数のフェムト対応デバイスが前記第１のデバイスと前記第２のデバイスとに地理的に近接しており、前記プロセッサが、前記複数のフェムト対応デバイスのうちの１つを選択することと、前記選択されたフェムト対応デバイスへの前記第１のデバイスのためのハンドオフを実行することとを行うように構成された、請求項１５に記載のワイヤレス通信装置。
【請求項２５】
前記プロセッサは、近接度と、前記フェムト対応デバイスの能力しきい値と、前記フェムト対応デバイスの現在の負荷と、前記フェムト対応デバイスの信号強度と、前記フェムト対応デバイスによる送信のために利用可能な周波数と、前記フェムト対応デバイスのデータレートとからなるグループから選択された少なくとも１つに基づいて、前記フェムト対応デバイスを選択するように構成された請求項２４に記載のワイヤレス通信装置。
【請求項２６】
第２のデバイスと通信するための発信メッセージを第１のデバイスから受信することをコンピュータに行わせるためのコードの第１のセットと、
前記第１のデバイスと前記第２のデバイスとが地理的に近接しているかどうかを判断することを前記コンピュータに行わせるためのコードの第２のセットと、
フェムト対応デバイスが前記第１のデバイスと前記第２のデバイスとに地理的に近接しているかどうかを判断することを前記コンピュータに行わせるためのコードの第３のセットと、
前記第１のデバイスと前記第２のデバイスと前記フェムト対応デバイスとが地理的に近接している場合、前記フェムト対応デバイスへの前記第１のデバイスのためのハンドオフを実行することを前記コンピュータに行わせるためのコードの第４のセットと、
を備えるコンピュータ可読媒体を備えるコンピュータ・プログラム製品。
【請求項２７】
フェムトセル機能を使用可能にするように構成された少なくとも１つのプロセッサであって、
第２のデバイスと通信するための発信要求を第１のデバイスから受信するための第１のモジュールと、
前記第１のデバイスと前記第２のデバイスとが地理的に近接しているかどうかを判断するための第２のモジュールと、
フェムト対応デバイスが前記第１のデバイスと前記第２のデバイスとに地理的に近接しているかどうかを判断するための第３のモジュールと、
前記第１のデバイスと前記第２のデバイスと前記フェムト対応デバイスとが地理的に近接している場合、前記フェムト対応デバイスへの前記第１のデバイスのためのハンドオフを実行するための第４のモジュールと、
を備えるプロセッサ。
【請求項２８】
前記第１のデバイスと前記第２のデバイスと前記フェムト対応デバイスとが無線アクセス・ネットワーク（ＲＡＮ）のカバレージ内にあるかどうかを判断するための第５のモジュールと、
パイロットを送信するように前記フェムト対応デバイスに命令するための第６のモジュールと、
前記第１のデバイスと前記第２のデバイスとから前記パイロット信号の報告を受信するための第７のモジュールと、
前記パイロット信号の前記報告に基づいて、前記第１のデバイスと前記第２のデバイスと前記フェムト対応デバイスとが近接しているかどうかを判断するための第８のモジュールと、
をさらに備える請求項２７に記載のプロセッサ。
【請求項２９】
フェムト対応デバイスを介した通信を可能にするための方法であって、
第２のデバイスと通信するための第１のデバイスからの発信に関する通信を無線アクセス・ネットワーク（ＲＡＮ）から受信することと、
前記ＲＡＮからの前記通信に基づいて前記第１のデバイスと前記第２のデバイスとの間の通信をセットアップすることと、
を備える方法。
【請求項３０】
前記フェムト対応デバイスがモバイルである請求項２９に記載の方法。
【請求項３１】
前記第１のデバイスが前記フェムト対応デバイスである請求項３０に記載の方法。
【請求項３２】
前記第２のデバイスが前記フェムト対応デバイスである請求項３０に記載の方法。
【請求項３３】
前記第１のデバイスと前記第２のデバイスとが非フェムト対応デバイスであり、前記方法が、
前記第１のデバイスから通信を受信することと、
前記通信を前記第２のデバイスに送信することと、
をさらに備える請求項３０に記載の方法。
【請求項３４】
前記第１のデバイスおよび前記第２のデバイスのうちの少なくとも１つのユーザコード情報および検索要求を前記ＲＡＮから受信することと、
前記ＲＡＮにＥｃｐ測定値を報告することと、
をさらに備える請求項２９に記載の方法。
【請求項３５】
前記ＲＡＮから擬似ランダム雑音（ＰＮ）オフセットと指定された周波数情報とを受信することをさらに備える請求項２９に記載の方法。
【請求項３６】
前記指定された周波数上で自己較正を実行することをさらに備える請求項３５に記載の方法。
【請求項３７】
モバイル通信装置であって、
順方向リンク上では無線アクセス・ネットワーク（ＲＡＮ）から、および逆方向リンク上では少なくとも１つのモバイル通信装置から、ワイヤレス通信を受信するための手段と、
逆方向リンク上では前記ＲＡＮに、および順方向リンク上では前記少なくとも１つのモバイル通信装置に、ワイヤレス情報を送信するための手段と、を備えるモバイル通信装置。
【請求項３８】
前記ＲＡＮから受信したユーザコード情報および検索要求情報を記憶するための手段と、
Ｅｃｐを測定するための手段と、をさらに備える請求項３７に記載のモバイル通信装置。
【請求項３９】
モバイル通信装置であって、
順方向リンク上では無線アクセス・ネットワーク（ＲＡＮ）から、および逆方向リンク上では少なくとも１つのモバイル通信装置から、ワイヤレス通信を受信するための受信機と、
逆方向リンク上では前記ＲＡＮに、および順方向リンク上では前記少なくとも１つのモバイル通信装置に、ワイヤレス情報を送信するための送信機と、
を備えるモバイル通信装置。
【請求項４０】
移動局モデム（ＭＳＭ）チップセットと、
セルサイト・モデム（ＣＳＭ）チップセットと、
をさらに備える請求項３９に記載のモバイル通信装置。
【請求項４１】
前記受信機が、前記逆方向リンク上で第１のモバイル・デバイスから通信を受信するように構成され、前記送信機は、前記順方向リンク上で第２のモバイル・デバイスに通信を送信するように構成された請求項３９に記載のモバイル通信装置。
【請求項４２】
前記ＲＡＮから受信したユーザコード情報および検索要求情報を記憶するためのメモリと、
Ｅｃｐを測定するための測定要素と、
をさらに備える請求項３９に記載のモバイル通信装置。
【請求項４３】
前記ＲＡＮから受信した擬似ランダム雑音（ＰＮ）オフセットと指定された周波数情報とを記憶するためのメモリをさらに備える請求項３９に記載のモバイル通信装置。
【請求項４４】
前記指定された周波数上で自己較正を実行するための較正器をさらに備える請求項４３に記載のモバイル通信装置。
【請求項４５】
ワイヤレス・フェムトセル通信を送信するための手段と、
第２のデバイスと通信するための第１のデバイスからの発信に関する通信をＲＡＮから受信する手段と、
前記ＲＡＮからの前記通信に基づいて前記第１のデバイスと前記第２のデバイスとの間の通信をセットアップするための手段と、
を備えるワイヤレス通信装置。
【請求項４６】
前記第１のデバイスと前記第２のデバイスとが非フェムト対応デバイスであり、前記ワイヤレス通信装置は、
前記第１のデバイスから通信を受信するための手段と、
前記通信を前記第２のデバイスに送信するための手段と、
をさらに備える請求項４５に記載のワイヤレス通信装置。
【請求項４７】
ワイヤレス・フェムトセル通信を送信することをコンピュータに行わせるためのコードの第１のセットと、
第２のデバイスと通信するための第１のデバイスからの発信に関する通信をＲＡＮから受信することを前記コンピュータに行わせるためのコードの第２のセットと、
前記ＲＡＮからの前記通信に基づいて前記第１のデバイスと前記第２のデバイスとの間の通信をセットアップすることを前記コンピュータに行わせるためのコードの第３のセットと、
を備えるコンピュータ可読媒体を備えるコンピュータ・プログラム製品。
【請求項４８】
前記コンピュータ可読媒体が、
前記第１のデバイスから通信を受信することを前記コンピュータに行わせるためのコードの第４のセットと、
前記通信を前記第２のデバイスに送信することを前記コンピュータに行わせるためのコードの第５のセットと、
を備える請求項４７に記載のコンピュータ・プログラム製品。
【請求項４９】
フェムトセル機能を使用可能にするように構成された少なくとも１つのプロセッサであって、
ワイヤレス・フェムトセル通信を送信するための第１のモジュールと、
第２のデバイスと通信するための第１のデバイスからの発信に関する通信をＲＡＮから受信するための第２のモジュールと、
前記ＲＡＮからの前記通信に基づいて前記第１のデバイスと前記第２のデバイスとの間の通信をセットアップするための第３のモジュールと、
を備える少なくとも１つのプロセッサ。
【請求項５０】
前記第１のデバイスと前記第２のデバイスとが非フェムト対応デバイスであり、前記少なくとも１つのプロセッサが、
前記第１のデバイスから通信を受信するための第４のモジュールと、
前記通信を前記第２のデバイスに送信するための第５のモジュールと
をさらに備える請求項４９に記載の少なくとも１つのプロセッサ。
【発明の詳細な説明】
【技術分野】
【０００１】
以下の説明は、一般にワイヤレス通信に関し、より詳細には、ワイヤレス通信環境中でフェムトセル機能を使用可能にすることに関する。
【０００２】
米国特許法第１１９条に基づく優先権の主張
本特許出願は、各々が本出願の譲受人に譲渡され、各々が参照により本明細書に明確に組み込まれる、２００８年６月１３日に出願された「System, Apparatus, and Method to Enable Femtocell Functionality for Cellular Mobile Terminals」と題する仮出願第６１／０６１，５５４号、および２００８年７月２日に出願された「Mobile Devices with Femto Cell Functionality」と題する仮出願第６１／０７７，５３６号の優先権を主張する。
【背景技術】
【０００３】
ワイヤレス通信システムは、様々なタイプの通信（たとえば、ボイス、データ、マルチメディア・サービスなど）を複数のユーザに提供するために広く展開されている。高速なマルチメディアデータサービスの需要が急速に増大するにつれて、向上したパフォーマンスをもつ効率的でロバストな通信システムを実装することが課題となっている。
【０００４】
最近、ユーザは、固定回線通信の代わりにモバイル通信を使用し始めており、高いボイス品質、確実なサービス、および低価格をますます要求している。
【０００５】
現在展開されている携帯電話ネットワークに加えて、ユーザの家に設置され、既存のブロードバンド・インターネット接続を使用してモバイル・ユニットに屋内ワイヤレス・カバレージを与えることができる新しいクラスの小さい基地局が出現した。そのようなパーソナル小型基地局は、一般に、アクセスポイント基地局、または、代替的に、ホームノードＢ（ＨＮＢ）またはフェムトセルとして知られている。典型的には、そのような小型基地局は、ＤＳＬルータまたはケーブルモデムを介してインターネットおよびモバイル・オペレータのネットワークに接続される。
【０００６】
地理的に近接している発呼側モバイル・ユニットと宛先モバイル・ユニットとの間の通信でも、発呼側モバイル・ユニットから基地局に送信される。その通信は、宛先モバイルに送信するために同じ基地局に戻される前にバックホールを介して送信される。
【０００７】
モバイル端末のためのピア・ツー・ピア・サービスなどの適用例のために、いくつかの規格およびプロトコルが開発されている。しかしながら、これらの規格およびプロトコルはレガシー端末には対処していない。言い換えれば、それらの規格およびプロトコルでは、新しいモバイル端末が新しい規格を利用する必要がある。
【発明の概要】
【０００８】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００９】
一態様では、ローカル・モバイル・ネットワークを作成するための方法が、移動局モデム（ＭＳＭ）とセルサイト・モデム（ＣＳＭ）とを有する第１のモバイル・デバイスからパイロットおよび共通オーバーヘッド・チャネルを送信することを含む。本方法は、第１の通信リンクを介して、第２のモバイル・デバイスに順方向リンク通信を送信すること、および第２のモバイル・デバイスから逆方向リンク通信を受信することのうちの少なくとも１つを含む、第１の通信リンクを確立することをさらに含む。
【００１０】
別の態様では、ワイヤレス通信装置が、移動局モデム（ＭＳＭ）とセルサイト・モデム（ＣＳＭ）とを有する第１のモバイル・デバイスからパイロットおよび共通オーバーヘッド・チャネルを送信するための手段を含む。本ワイヤレス通信装置は、順方向リンク上で第２のモバイル・デバイスに通信を送信すること、および逆方向リンク上で第２のモバイル・デバイスから通信を受信することのうちの少なくとも１つを含む、通信リンクを確立するための手段をさらに含む。
【００１１】
別の態様では、ワイヤレス通信装置が、移動局モデム（ＭＳＭ）とセルサイト・モデム（ＣＳＭ）とを有する第１のモバイル・デバイスからパイロットおよび共通オーバーヘッド・チャネルを送信するための送信機を含む。本ワイヤレス通信装置は、第２のモバイル・デバイスに順方向リンク通信を送信すること、および第２のモバイル・デバイスから逆方向リンク通信を受信することのうちの少なくとも１つを含む、通信リンクを確立するように構成された上記送信機をさらに含む。
【００１２】
別の態様では、コンピュータ・プログラム製品がコンピュータ可読媒体を備え、コンピュータ可読媒体は、移動局モデム（ＭＳＭ）とセルサイト・モデム（ＣＳＭ）とを有する第１のモバイル・デバイスからパイロットおよび共通オーバーヘッド・チャネルを送信することをコンピュータに行わせるためのコードの第１のセットを含む。コンピュータ可読媒体は、順方向リンク上で第２のモバイル・デバイスに通信を送信すること、および逆方向リンク上で第２のモバイル・デバイスから通信を受信することのうちの少なくとも１つを含む、通信リンクを確立することをコンピュータに行わせるためのコードの第３のセットをさらに含む。
【００１３】
別の態様では、ローカル・モバイル・ネットワークを作成するように構成された少なくとも１つのプロセッサが、移動局モデム（ＭＳＭ）とセルサイト・モデム（ＣＳＭ）とを有する第１のモバイル・デバイスからパイロットおよび共通オーバーヘッド・チャネルを送信するための第１のモジュールを含む。本少なくとも１つのプロセッサは、パイロットおよび共通オーバーヘッド・チャネルに応答して第２のモバイル・デバイスから少なくとも１つの登録要求を受け付けるための第２のモジュールをさらに含む。本少なくとも１つのプロセッサは、順方向リンク上で第２のモバイル・デバイスに通信を送信するための第３のモジュールをさらに含む。
【００１４】
別の態様では、フェムトセル機能を使用可能にするための方法が、第２のデバイスと通信するための発信メッセージを第１のデバイスから受信することを含む。本方法は、第１のデバイスと第２のデバイスとが地理的に近接しているかどうかを判断することをさらに含む。本方法は、フェムト対応デバイスが第１のデバイスと第２のデバイスとに地理的に近接しているかどうかを判断することをさらに含む。本方法は、第１のデバイスと第２のデバイスとフェムト対応デバイスとが地理的に近接している場合、フェムト対応デバイスへの第１のデバイスのためのハンドオフを実行することをさらに含む。
【００１５】
別の態様では、ワイヤレス通信装置が、第２のデバイスと通信するための発信要求を第１のデバイスから受信するための受信機を含む。本ワイヤレス通信装置は、第１のデバイスと第２のデバイスとが地理的に近接しているかどうかと、フェムト対応デバイスが第１のデバイスと第２のデバイスとに地理的に近接しているかどうかとを判断するためのプロセッサをさらに含む。本ワイヤレス通信装置は、第１のデバイスと第２のデバイスとフェムト対応デバイスとが地理的に近接している場合、フェムト対応デバイスへの第１のデバイスのためのハンドオフを実行するための送信機をさらに含む。
【００１６】
別の態様では、フェムト対応デバイスを介した通信を可能にするための方法が、第２のデバイスと通信するための第１のデバイスからの発信に関する通信を無線アクセス・ネットワーク（ＲＡＮ）から受信することを含む。本方法は、ＲＡＮからの通信に基づいて第１のデバイスと第２のデバイスとの間の通信をセットアップすることをさらに含む。
【００１７】
別の態様では、モバイル通信装置が、順方向リンク上では無線アクセス・ネットワーク（ＲＡＮ）から、および逆方向リンク上では少なくとも１つのモバイル通信装置から、ワイヤレス通信を受信するための受信機を含む。本モバイル通信装置は、逆方向リンク上ではＲＡＮに、および順方向リンク上では少なくとも１つのモバイル通信装置に、ワイヤレス情報を送信するための送信機をさらに含む。
【００１８】
別の態様では、フェムトセル機能を使用可能にするワイヤレス通信装置が、第２のデバイスと通信するための発信メッセージを第１のデバイスから受信するための手段を含む。
【００１９】
本ワイヤレス通信装置は、第１のデバイスと第２のデバイスとが地理的に近接しているかどうかを判断するための手段をさらに含む。本ワイヤレス通信装置は、フェムト対応デバイスが第１のデバイスと第２のデバイスとに地理的に近接しているかどうかを判断するための手段をさらに含む。本ワイヤレス通信装置は、第１のデバイスと第２のデバイスとフェムト対応デバイスとが地理的に近接している場合、フェムト対応デバイスへの第１のデバイスのためのハンドオフを実行するための手段をさらに含む。
【００２０】
別の態様では、ワイヤレス通信装置が、ワイヤレス・フェムトセル通信を送信するための手段を含む。本ワイヤレス通信装置は、第２のデバイスと通信するための第１のデバイスからの発信に関する通信をＲＡＮから受信する手段をさらに含む。本ワイヤレス通信装置は、ＲＡＮからの通信に基づいて第１のデバイスと第２のデバイスとの間の通信をセットアップするための手段をさらに含む。
【００２１】
別の態様では、コンピュータ・プログラム製品がコンピュータ可読媒体を含み、コンピュータ可読媒体は、第２のデバイスと通信するための発信メッセージを第１のデバイスから受信することをコンピュータに行わせるためのコードの第１のセットを備える。コンピュータ可読媒体は、第１のデバイスと第２のデバイスとが地理的に近接しているかどうかを判断することをコンピュータに行わせるためのコードの第２のセットをさらに含む。コンピュータ可読媒体は、フェムト対応デバイスが第１のデバイスと第２のデバイスとに地理的に近接しているかどうかを判断することをコンピュータに行わせるためのコードの第３のセットをさらに含む。コンピュータ可読媒体は、第１のデバイスと第２のデバイスとフェムト対応デバイスとが地理的に近接している場合、フェムト対応デバイスへの第１のデバイスのためのハンドオフを実行することをコンピュータに行わせるためのコードの第４のセットをさらに含む。
【００２２】
別の態様では、コンピュータ・プログラム製品がコンピュータ可読媒体を含み、コンピュータ可読媒体は、ワイヤレス・フェムトセル通信を送信することをコンピュータに行わせるためのコードの第１のセットを備える。コンピュータ可読媒体は、第２のデバイスと通信するための第１のデバイスからの発信に関する通信をＲＡＮから受信することをコンピュータに行わせるためのコードの第２のセットをさらに備える。コンピュータ可読媒体は、ＲＡＮからの通信に基づいて第１のデバイスと第２のデバイスとの間の通信をセットアップすることをコンピュータに行わせるためのコードの第３のセットをさらに備える。
【００２３】
別の態様では、フェムトセル機能を使用可能にするように構成された少なくとも１つのプロセッサが、第２のデバイスと通信するための発信メッセージを第１のデバイスから受信するための第１のモジュールを含む。本少なくとも１つのプロセッサは、第１のデバイスと第２のデバイスとが地理的に近接しているかどうかを判断するための第２のモジュールをさらに含む。本少なくとも１つのプロセッサは、フェムト対応デバイスが第１のデバイスと第２のデバイスとに地理的に近接しているかどうかを判断するための第３のモジュールをさらに含む。本少なくとも１つのプロセッサは、第１のデバイスと第２のデバイスとフェムト対応デバイスとが地理的に近接している場合、フェムト対応デバイスへの第１のデバイスのためのハンドオフを実行するための第４のモジュールをさらに含む。
【００２４】
別の態様では、フェムトセル機能を使用可能にするように構成された少なくとも１つのプロセッサが、ワイヤレス・フェムトセル通信を送信するための第１のモジュールを含む。本少なくとも１つのプロセッサは、第２のデバイスと通信するための第１のデバイスからの発信に関する通信をＲＡＮから受信するための第２のモジュールをさらに含む。本少なくとも１つのプロセッサは、ＲＡＮからの通信に基づいて第１のデバイスと第２のデバイスとの間の通信をセットアップするための第３のモジュールをさらに含む。
【００２５】
別の態様では、フェムト対応デバイスを使用して適応カバレージを使用可能にするための方法が、不良セルラー・カバレージを検出することを含む。本方法は、代替ワイヤレス・バックホールに接続することをさらに含む。本方法は、パイロットおよび共通オーバーヘッド・チャネルを送信することをさらに含む。本方法は、代替ワイヤレス・バックホールを介してフォワーディングするために逆方向リンク上でセルラー・モバイル・デバイスから第１の通信を受信することをさらに含む。本方法は、代替ワイヤレス・バックホールを介して受信した第２の通信を順方向リンク上でセルラー・モバイル・デバイスに送信することをさらに含む。
【００２６】
別の態様では、ワイヤレス通信装置が、不良セルラー・カバレージを検出するための手段を含む。本ワイヤレス通信装置は、代替ワイヤレス・バックホールに接続するための手段をさらに含む。本ワイヤレス通信装置は、パイロットおよび共通オーバーヘッド・チャネルを送信するための手段をさらに含む。本ワイヤレス通信装置は、代替ワイヤレス・バックホールを介してフォワーディングするために逆方向リンク上でセルラー・モバイル・デバイスから第１の通信を受信するための手段をさらに含む。本ワイヤレス通信装置は、代替ワイヤレス・バックホールを介して受信した第２の通信を順方向リンク上でセルラー・モバイル・デバイスに送信するための手段をさらに含む。
【００２７】
別の態様では、ワイヤレス通信装置が、不良セルラー・カバレージを検出するための検出器を含む。本ワイヤレス通信装置は、代替ワイヤレス・バックホールに接続するためのプロセッサをさらに含む。本ワイヤレス通信装置は、パイロットおよび共通オーバーヘッド・チャネルを送信するための送信機をさらに含む。本ワイヤレス通信装置は、代替ワイヤレス・バックホールを介してフォワーディングするために逆方向リンク上でセルラー・モバイル・デバイスから第１の通信を受信するための受信機をさらに含む。本ワイヤレス通信装置は、代替ワイヤレス・バックホールを介して受信した第２の通信を順方向リンク上でセルラー・モバイル・デバイスに送信するように構成された上記送信機をさらに含む。
【００２８】
別の態様では、コンピュータ・プログラム製品がコンピュータ可読媒体を備え、コンピュータ可読媒体は、不良セルラー・カバレージを検出することをコンピュータに行わせるためのコードの第１のセットを含む。コンピュータ可読媒体は、代替ワイヤレス・バックホールに接続することをコンピュータに行わせるためのコードの第２のセットをさらに含む。コンピュータ可読媒体は、パイロットおよび共通オーバーヘッド・チャネルを送信することをコンピュータに行わせるためのコードの第３のセットをさらに含む。コンピュータ可読媒体は、代替ワイヤレス・バックホールを介してフォワーディングするために逆方向リンク上でセルラー・モバイル・デバイスから第１の通信を受信することをコンピュータに行わせるためのコードの第４のセットをさらに含む。コンピュータ可読媒体は、代替ワイヤレス・バックホールを介して受信した第２の通信を順方向リンク上でセルラー・モバイル・デバイスに送信することをコンピュータに行わせるためのコードの第５のセットをさらに含む。
【００２９】
別の態様では、フェムト対応デバイスを使用して適応カバレージを使用可能にするように構成された少なくとも１つのプロセッサが、不良セルラー・カバレージを検出するための第１のモジュールを含む。フェムト対応デバイスを使用して適応カバレージを使用可能にするように構成された本少なくとも１つのプロセッサは、代替ワイヤレス・バックホールに接続するための第２のモジュールをさらに備える。フェムト対応デバイスを使用して適応カバレージを使用可能にするように構成された本少なくとも１つのプロセッサは、パイロットおよび共通オーバーヘッド・チャネルを送信するための第３のモジュールをさらに備える。フェムト対応デバイスを使用して適応カバレージを使用可能にするように構成された本少なくとも１つのプロセッサは、代替ワイヤレス・バックホールを介してフォワーディングするために逆方向リンク上でセルラー・モバイル・デバイスから第１の通信を受信するための第４のモジュールをさらに備える。フェムト対応デバイスを使用して適応カバレージを使用可能にするように構成された本少なくとも１つのプロセッサは、代替ワイヤレス・バックホールを介して受信した第２の通信を順方向リンク上でセルラー・モバイル・デバイスに送信するための第５のモジュールをさらに備える。
【００３０】
別の態様では、フェムト対応デバイスを使用して位置ロケーション情報を送信するための方法が、フェムト対応デバイスの位置情報を取得することを含む。本方法は、その位置情報をロケーション判断エンティティに通信することをさらに含む。本方法は、フェムト対応デバイスのロケーション情報をモバイル・デバイスに送信することをさらに含む。
【００３１】
別の態様では、ワイヤレス通信装置が、フェムト対応デバイスの位置情報を取得するための手段を含む。本ワイヤレス通信装置は、その位置情報をロケーション判断エンティティに通信するための手段をさらに含む。本ワイヤレス通信装置は、フェムト対応デバイスのロケーション情報をモバイル・デバイスに送信するための手段をさらに含む。
【００３２】
別の態様では、ワイヤレス通信装置が、フェムト対応デバイスの位置を取得するための位置取得器を含む。本ワイヤレス通信装置は、フェムト対応デバイスのロケーション情報をロケーション判断エンティティに通信するための送信機をさらに含む。本ワイヤレス通信装置は、フェムト対応デバイスのロケーション情報をモバイル・デバイスに送信するための送信機をさらに含む。
【００３３】
別の態様では、コンピュータ・プログラム製品がコンピュータ可読媒体を備え、コンピュータ可読媒体は、フェムト対応デバイスの位置情報を取得することをコンピュータに行わせるためのコードの第１のセットを含む。コンピュータ可読媒体は、その位置情報をロケーション判断エンティティに通信することをコンピュータに行わせるためのコードの第２のセットをさらに含む。コンピュータ可読媒体は、フェムト対応デバイスのロケーション情報をモバイル・デバイスに送信することをコンピュータに行わせるためのコードの第３のセットをさらに含む。
【００３４】
別の態様では、フェムト対応デバイスを使用して位置ロケーション情報を送信するように構成された少なくとも１つのプロセッサが、フェムト対応デバイスの位置情報を取得するための第１のモジュールを含む。フェムト対応デバイスを使用して位置ロケーション情報を送信するように構成された本少なくとも１つのプロセッサは、その位置情報をロケーション判断エンティティに通信するための第２のモジュールを含む。フェムト対応デバイスを使用して位置ロケーション情報を送信するように構成された本少なくとも１つのプロセッサは、フェムト対応デバイスのロケーション情報をモバイル・デバイスに送信するための第３のモジュールを含む。別の態様では、フェムト対応デバイスから受信したパイロット情報を使用して位置ロケーションを判断するための方法が、位置情報を含むパイロットまたはオーバーヘッド信号をフェムト対応デバイスから受信することを含む。本方法は、受信した位置情報をロケーション判断エンティティに送信することをさらに含む。本方法は、フェムト対応デバイスからの受信した信号に少なくとも部分的に基づいて、ロケーション判断エンティティから現在の位置を受信することをさらに含む。
【００３５】
別の態様では、フェムト対応デバイスから受信したパイロット情報を使用して位置ロケーションを判断するように構成されたワイヤレス通信装置が、位置情報を含むパイロットまたはオーバーヘッド信号をフェムト対応デバイスから受信するための手段を含む。本装置は、受信した位置情報をロケーション判断エンティティに送信するための手段をさらに含む。本装置は、フェムト対応デバイスからの受信した信号に少なくとも部分的に基づいて、ロケーション判断エンティティから現在の位置を受信するための手段をさらに含む。
【００３６】
別の態様では、フェムト対応デバイスから受信したパイロット情報を使用して位置ロケーションを判断するように構成されたワイヤレス通信装置が、位置情報を含むパイロットまたはオーバーヘッド信号をフェムト対応デバイスから受信するための受信機を含む。本装置は、受信した位置情報をロケーション判断エンティティに送信するための送信機をさらに含む。本装置は、フェムト対応デバイスからの受信した信号に少なくとも部分的に基づいて、ロケーション判断エンティティから現在の位置を受信するための受信機をさらに含む。
【００３７】
別の態様では、コンピュータ・プログラム製品がコンピュータ可読媒体を含み、コンピュータ可読媒体は、位置情報を含むパイロットまたはオーバーヘッド信号をフェムト対応デバイスから受信することをコンピュータに行わせるためのコードの第１のセットを有する。コンピュータ可読媒体は、受信した位置情報をロケーション判断エンティティに送信することをコンピュータに行わせるためのコードの第２のセットをさらに含む。コンピュータ可読媒体は、フェムト対応デバイスからの受信した信号に少なくとも部分的に基づいて、ロケーション判断エンティティから現在の位置を受信することをコンピュータに行わせるためのコードの第３のセットをさらに含む。
【００３８】
別の態様では、フェムト対応デバイスを使用して位置ロケーションを判断するように構成された少なくとも１つのプロセッサが、位置情報を含むパイロットまたはオーバーヘッド信号をフェムト対応デバイスから受信するための第１のモジュールを含む。本少なくとも１つのプロセッサは、受信した位置情報をロケーション判断エンティティに送信するための第２のモジュールをさらに含む。本少なくとも１つのプロセッサは、フェムト対応デバイスからの受信した信号に少なくとも部分的に基づいて、ロケーション判断エンティティから現在の位置を受信するための第３のモジュールをさらに含む。
【００３９】
別の態様では、フェムト対応デバイスから受信したパイロット情報を使用して位置ロケーションを判断するための方法が、位置情報を含むパイロットまたはオーバーヘッド信号をフェムト対応デバイスから受信することを含む。本方法は、フェムト対応デバイスからの位置情報に少なくとも部分的に基づいて位置を計算することをさらに含む。
【００４０】
別の態様では、フェムト対応デバイスから受信したパイロット情報を使用して位置ロケーションを判断するように構成されたワイヤレス通信装置が、位置情報を含むパイロットまたはオーバーヘッド信号をフェムト対応デバイスから受信するための手段を含む。本装置は、フェムト対応デバイスからの位置情報に少なくとも部分的に基づいて位置を計算するための手段をさらに含む。
【００４１】
別の態様では、フェムト対応デバイスから受信したパイロット情報を使用して位置ロケーションを判断するように構成されたワイヤレス通信装置が、位置情報を含むパイロットまたはオーバーヘッド信号をフェムト対応デバイスから受信するための受信機を含む。本装置は、フェムト対応デバイスからの位置情報に少なくとも部分的に基づいて位置を計算するためのプロセッサをさらに含む。
【００４２】
別の態様では、コンピュータ・プログラム製品がコンピュータ可読媒体を含み、コンピュータ可読媒体は、位置情報を含むパイロットまたはオーバーヘッド信号をフェムト対応デバイスから受信することをコンピュータに行わせるためのコードの第１のセットを有する。コンピュータ可読媒体は、フェムト対応デバイスからの位置情報に少なくとも部分的に基づいて位置を計算することをコンピュータに行わせるためのコードの第２のセットをさらに含む。
【００４３】
別の態様では、フェムト対応デバイスを使用して位置ロケーションを判断するように構成された少なくとも１つのプロセッサが、位置情報を含むパイロットまたはオーバーヘッド信号をフェムト対応デバイスから受信するための第１のモジュールを含む。本少なくとも１つのプロセッサは、フェムト対応デバイスからの位置情報に少なくとも部分的に基づいて位置を計算するための第２のモジュールをさらに含む。
【００４４】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００４５】
【図１】例示的なワイヤレス通信システムを示す図。
【図２】ネットワーク環境内でアクセスポイント基地局の展開を可能にするための例示的な通信システムを示す図。
【図３】フェムト対応デバイス中の構成要素の例示的な図。
【図４】ワイヤレス通信環境中でフェムトセル機能を使用可能にするシステムを示す図。
【図５】フェムト対応デバイスと通信する非フェムト対応デバイスのための呼フローの例を示す図。
【図６】ある非フェムト対応デバイスがフェムト対応ピア・ツー・ピア通信のための同様の地理的エリア中の別の非フェムト対応デバイスに発呼するための方法を示す図。
【図７】フェムト対応デバイスを利用するローカル・モバイル・ネットワークを作成するための方法を示す図。
【図８】本明細書で提示する態様による、適応カバレージ拡張のための別の方法を示す図。
【図９】フェムトセル機能を使用可能にするワイヤレス通信装置の例示的なシステムを示す図。
【図１０】ワイヤレス通信装置の例示的なシステムを示す図。
【図１１】ローカル・モバイル・ネットワークを与えるワイヤレス通信装置の例示的なシステムを示す図。
【図１２】フェムト対応デバイスを使用して適応カバレージを使用可能にするワイヤレス通信装置の例示的なシステムを示す図。
【図１３】フェムト対応デバイスを使用して位置ロケーションを判断するためのワイヤレス通信装置の例示的なシステムを示す図。
【図１４】フェムト対応デバイスを使用して位置を判断する例示的なシステムを示す図。
【発明を実施するための形態】
【００４６】
次に、図面を参照しながら様々な態様について説明する。以下の記述では、説明の目的で、１つまたは複数の態様の完全な理解を与えるために多数の具体的な詳細を記載する。
【００４７】
ただし、そのような（１つまたは複数の）態様は、これらの具体的な詳細なしに実施できることは明らかであろう。他の例では、これらの態様の説明を円滑にするために、よく知られている構造およびデバイスをブロック図の形態で示す。
【００４８】
本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティング・デバイス上で実行される適用例と、そのコンピューティング・デバイスの両方を構成要素とすることができる。
【００４９】
１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、たとえば、１つまたは複数のデータパケット（たとえば、ローカルシステム、分散システム内の別の構成要素と対話する、および／またはインターネットなどのネットワーク上で信号を介して他のシステムと対話する１つの構成要素からのデータ）を有する信号に従ってローカルプロセスおよび／またはリモートプロセスを介して通信することができる。
【００５０】
さらに、様々な態様について、モバイル・デバイスに関して本明細書で説明する。モバイル・デバイスは、システム、加入者ユニット、加入者局、移動局、モバイル、ワイヤレス端末、デバイス、リモート局、リモート端末、アクセス端末、ユーザ端末、端末、ワイヤレス通信デバイス、ワイヤレス通信装置、ユーザ・エージェント、ユーザ・デバイス、またはユーザ機器（ＵＥ）と呼ばれることもある。モバイル・デバイスは、セルラー電話、セルラー・モバイル・デバイス、コードレス電話、セッション開始プロトコル（ＳＩＰ）電話、スマートフォン、ワイヤレス・ローカル・ループ（ＷＬＬ）局、携帯情報端末（ＰＤＡ）、ラップトップ、ハンドヘルド通信デバイス、ハンドヘルド・コンピューティング・デバイス、衛星無線、ワイヤレス・モデムカード、および／またはワイヤレスシステムを介して通信するための別の処理デバイスとすることができる。さらに、本明細書では基地局に関する様々な態様について説明する。基地局は、（１つまたは複数の）ワイヤレス端末と通信するために利用でき、アクセスポイント、ノードＢ、または何らかの他のネットワーク・エンティティと呼ばれることもあり、それらの機能の一部または全部を含むことがある。
【００５１】
様々な態様または特徴は、いくつかのデバイス、構成要素、モジュールなどを含むことができるシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せを使用することもできる。
【００５２】
「例示的」という単語は、本明細書では「例、事例、または例示の働きをすること」を意味するために使用する。本明細書に「例示的」と記載されたいかなる実施形態も、必ずしも他の実施形態よりも好ましいまたは有利であると解釈されるべきではない。本明細書で説明する技法は、符号分割多重接続（ＣＤＭＡ）ネットワーク、時分割多重接続（ＴＤＭＡ）ネットワーク、周波数分割多重接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用できる。「ネットワーク」および「システム」という用語は、しばしば互換的に使用される。ＣＤＭＡネットワークは、汎用地上波無線アクセス（ＵＴＲＡ）、ｃｄｍａ２０００などの無線技術を実装することができる。ＵＴＲＡは広帯域ＣＤＭＡ（Ｗ−ＣＤＭＡ）および低チップレート（ＬＣＲ）を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ(登録商標））などの無線技術を実装することができる。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実施することができる。ＵＴＲＡ、Ｅ−ＵＴＲＡ、およびＧＳＭは、ユニバーサル移動体通信システム（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「第３世代パートナーシップ・プロジェクト２」（３ＧＰＰ２）という名称の組織からの文書に記載されている。これらの様々な無線技術および規格は当技術分野で知られている。
【００５３】
図１に、様々な開示する実施形態および態様を実装することができる、多数のユーザをサポートするように構成された例示的なワイヤレス通信システム１００を示す。図１に示すように、例として、システム１００は、たとえばマクロセル１０２ａ〜１０２ｇなど、複数のセル１０２の通信を可能にし、各セルは、（ＡＰ１０４ａ〜１０４ｇなどの）対応するアクセスポイント（ＡＰ）１０４によってサービスされる。各セルは、さらに１つまたは複数のセクタに分割できる。互換的にユーザ機器（ＵＥ）または移動局としても知られるＡＴ１０６ａ〜１０６ｋを含む様々なアクセス端末（ＡＴ）１０６がシステム全体に分散される。各ＡＴ１０６は、たとえば、そのＡＴがアクティブであるかどうか、およびそのＡＴがソフト・ハンドオフ中であるかどうかに応じて、所与の時点において順方向リンク（ＦＬ）および／または逆方向リンク（ＲＬ）上の１つまたは複数のＡＰ１０４と通信することができる。ワイヤレス通信システム１００は大きい地理的領域にわたってサービスを提供することができ、たとえば、マクロセル１０２ａ〜１０２ｇは近傍の数個のブロックをカバーすることができる。
【００５４】
図２に、ネットワーク環境内でモバイル・フェムトセル機能を使用可能にする例示的な通信システムを示す。図２に示すように、システム２００は、各々が対応するフェムト対応小規模ネットワーク環境２３０中にあるものとして示される、１つまたは複数のユーザ機器（ＵＥ）２２０および２１１を含む。フェムト対応小規模ネットワーク環境２３０内には任意の数のＵＥが存在することができることに留意されたい。さらに、この例では、ＵＥ２２０は、フェムト対応小規模ネットワーク環境２３０と、セルラー・ネットワークに関連する基地局などのマクロ・アクセス・セル１０２の両方と通信することができ、ＵＥ２１１は、フェムト対応小規模ネットワーク環境２３０と通信することができるが、マクロ・アクセス・セル１０２のカバレージの外側にある。ＵＥ２２０および２１１はレガシーＵＥまたはフェムト対応ＵＥとすることができる。フェムト対応モバイル（ＦＥＭ）デバイス２１０は、地理的エリアを占めるフェムト対応小規模ネットワーク環境２３０を作成し、この態様では、ＵＥ２２０および２１１はその地理的エリア中に位置する。以下でさらに詳細に説明するように、ＦＥＭ２１０およびフェムト対応小規模ネットワーク環境２３０は、ＦＥＭ２１０を介したネットワーク環境２３０内のＵＥ間のローカル通信を可能にし、および／またはネットワーク環境２３０内のＵＥとマクロ・アクセス・セル１０２との間のＦＥＭ２１０を介した通信を可能にする。フェムト対応小規模ネットワーク環境２３０は、マクロ・アクセス・セル１０２内に存在するか、またはマクロ・アクセス・セル１０２と重複することができるが、マクロ・アクセス・セル１０２よりも小さい規模を有する。さらに、ＦＥＭ２１０がフェムト対応小規模ネットワーク環境２３０を作成するためにワイヤラインまたはバックホールを必要とせず、それによってフェムト対応小規模ネットワーク環境２３０を非常にダイナミックにすることができることに留意されたい。
【００５５】
本明細書で説明する実施形態では３ＧＰＰ用語を使用しているが、実施形態は、３ＧＰＰ（Ｒｅｌ９９、Ｒｅｌ５、Ｒｅｌ６、Ｒｅｌ７、Ｒｅｌ８、Ｒｅｌ９）技術、ならびに３ＧＰＰ２（１ｘＲＴＴ、１ｘＥＶ−ＤＯ  Ｒｅｌ０、ＲｅｖＡ、ＲｅｖＢ）技術および他の知られている関連技術に適用できることを理解されたい。本明細書で説明するそのような態様では、ＦＥＭ２１０の所有者およびＵＥ２２０の所有者は、たとえば、モバイル事業者コア・ネットワーク２５０を通して提供される３Ｇモバイルサービスなどのモバイルサービスに加入することができ、ＵＥ２２０はマクロセルラー環境中とフェムト対応小規模ネットワーク環境中の両方で動作することができる。したがって、ＦＥＭ２１０は既存のＵＥ２２０および既存のネットワーク２５０と後方互換性がある。
【００５６】
さらに、マクロセル・モバイル・ネットワーク２５０へのマクロセル１０２アクセスに加えて、ＵＥ２２０は、所定の数のＦＥＭ２１０、たとえばＵＥが動作しているフェムト対応小規模環境２３０を生成するＦＥＭ２１０によってサービスできる。いくつかの態様では、ＵＥ２２０は、ＦＥＭ２１０と通信している間、マクロ・ネットワーク２５０とのソフト・ハンドオーバ状態になることがある。言い換えれば、いくつかの態様では、ＵＥ２２０はマクロ・ネットワーク２５０およびＦＥＭ２１０と通信することができる。限定的なものと解釈すべきではない、いくつかの態様では、ＵＥ２２０がＦＥＭ２１０と通信することを許可され、十分な品質をもつ接続を有する限り、ＵＥ２２０は関連するＦＥＭ２１０とのみ通信することが望ましい。たとえば、ＵＥが同じフェムト対応小規模ネットワーク環境２３０中の別のＵＥと通信することを希望する場合、そのような通信はマクロ・ネットワーク２５０を介してではなくＦＥＭ２１０を介してサービスできる。
【００５７】
図３に、フェムト対応モバイル（ＦＥＭ）デバイス２１０内の例示的な構成要素を示す。ＦＥＭ２１０は、ＦＥＭ２１０が基地局として働くことを可能にするためのハードウェアとソフトウェアと命令とを含むセルサイト・モデム（ＣＳＭ）構成要素３０１と、ＦＥＭ２１０が移動局またはＵＥとして働くことを可能にするための移動局モデム（ＭＳＭ）構成要素３０２とを含む。たとえば、ＣＳＭ構成要素３０１はネットワーク側の基地局間通信プロトコルを含むことができるが、ＭＳＭ構成要素３０２はモバイル・エア・インターフェース・プロトコルを含むことができる。さらに、ＣＳＭ構成要素３０１は、受信チェーン・ハードウェアおよびソフトウェアならびにアンテナなど、順方向リンクを介して無線アクセス・ネットワーク（ＲＡＮ）１０２から通信を受信するように構成された第１の受信機構成要素３０３と、送信チェーン・ハードウェアおよびソフトウェアならびにアンテナなど、逆方向リンクを介してＲＡＮに通信を送信するように構成された第１の送信機構成要素３０４とを含む。ＣＳＭ３０１とＲＡＮとの間の通信は、基地局間通信プロトコルを介して行う。さらに、ＣＳＭ３０１の第１の送信機構成要素３０４は、ＵＥ２２０などの１つまたは複数のＵＥへの、順方向リンクを介した通信の送信をさらに可能にし、第１の受信機構成要素３０４は１つまたは複数のＵＥからの、逆方向リンクを介した通信の受信をさらに可能にする。他のＵＥにはＦＥＭ２１０が基地局のように見えるように、ＣＳＭ３０１とＵＥ２２０との間の通信はモバイル・エア・インターフェース・プロトコルを介して行う。また、ＭＳＭ構成要素３０２は、受信チェーン・ハードウェアおよびソフトウェアならびにアンテナなど、順方向リンクを介してＲＡＮ１０２から通信を受信するように構成された第２の受信機構成要素３０６を含む。ＭＳＭ構成要素３０２はまた、送信チェーン・ハードウェアおよびソフトウェアおよびアンテナなど、逆方向リンクを介してＲＡＮに通信を送信するように構成された第２の送信機構成要素３０５を含む。ＦＥＭ２１０がＲＡＮ１０２には別の移動局またはＵＥとして見えるように、ＭＳＭ３０２とＲＡＮ１０２との間の通信はモバイル・エア・インターフェース・プロトコルを介して行う。
【００５８】
したがって、ＦＥＭは、ＦＥＭがモバイル・デバイスに順方向リンク通信を送信し、モバイル・デバイスから逆方向リンク通信を受信するための、モバイル・デバイスとの通信リンクを確立および／または維持することができる。ＦＥＭは、通常のモバイル・デバイスとして働くことができ、ＦＥＭがＲＡＮから順方向リンク通信を受信し、ＲＡＮに逆方向リンク通信を送信するための、ＲＡＮとの通信リンクを確立および／または維持することができる。
【００５９】
したがって、一態様では、基地局として働くためのＣＳＭ３０１を使用して、ＦＥＭ２１０は、ＵＥ２１１および／またはＵＥ２２０とＲＡＮ１０２との間の通信を可能にするように動作可能とすることができる。たとえば、ＵＥ２１１が、ＦＥＭ２１０の範囲内にあるが、ＲＡＮ１０２の範囲外にある場合、ＦＥＭ２１０はＵＥ２１１のためのＲＡＮ１０２へのブリッジとして働く。さらに、基地局として働いているＣＳＭ３０１を使用して、ＦＥＭ２１０は、ＦＥＭ２１０のフェムト対応小規模ネットワーク環境内で、ＵＥ２１１およびＵＥ２２０など、２つ以上のＵＥ間の通信を可能にするように動作可能とすることができる。ＦＥＭ２１０はまた、フェムト対応小規模ネットワーク環境２３０内で情報をブロードキャストすることができる。情報は、メディア、ピクチャ、曲など、ＦＥＭにおいてローカルに記憶されたコンテンツを含むことができる。情報は、特に温度測定値、オーディオ記録、ウェブ・カメラ・タイプの記録など、ＦＥＭにおいて取得されたコンテンツを含むことができる。情報はまた、セルラー・ネットワークを介して受信したコンテンツおよび／またはブロードキャストを含むことができる。たとえば、コンテンツは、ＭｅｄｉａＦｌｏ（商標）タイプ・ブロードキャストを介して受信した情報を含むことができる。たとえば、ＦＥＭは、衛星またはデジタル・テレビジョン・ブロードキャストを受信することができ、その情報を再ブロードキャストすることができる。いくつかの態様では、ＦＥＭは、ＦＥＭにおいて受信された同じフォーマットで情報を送信する必要はなく、代わりにフェムト対応小規模ネットワーク環境２３０内のデバイスで使用するために許容できるフォーマットに情報を変換することができる。
【００６０】
図４は、ワイヤレス通信環境中でフェムトセル機能を使用可能にするシステム４００を示す。フェムトセルは、一般に、ユーザの（たとえば、加入者の）住居または事業所に対応するエリアなど、家庭またはビジネス環境内でセルラーサービスを提供するための比較的小さいカバレージエリアを有する基地局に使用される用語である。たとえば、１つまたは複数のフェムトセルは、マクロセル・アクセス信号が透過しないかまたは信号強度が弱いロケーション中など、建築物内で無線カバレージを与えるために使用できる。フェムトセルは、通常、無線アクセス・ネットワーク（ＲＡＮ）機能（たとえば、基地トランシーバシステム（ＢＴＳ）、基地局コントローラ（ＢＳＣ）、パケットデータ・サービングノード（ＰＤＳＮ）、または他のネットワーク要素）を採用し、限られた数のユーザにサービスを提供する。フェムトセルは、ＤＳＬルータ、ケーブルモデムを通して、または他の技法によってインターネットおよびセルラー事業者のネットワークに接続できる。
【００６１】
いくつかの態様によれば、基地局（たとえば、マクロセル、ピコセルまたはフェムトセル）とのセルラー通信が可能であるモバイル端末は、フェムトセルと同様の無線アクセス・ネットワーク（ＲＡＮ）機能が使用可能であり、そのようなモバイル・デバイスを本明細書ではフェムト対応モバイル（ＦＥＭ）、フェムトセル対応モバイル、またはアットセルと呼ぶ。たとえば、モバイル端末は、移動局モデム（ＭＳＭ）チップセットと、セルサイト・モデム（ＣＳＭ）チップセットと、基地局タイプの動作をサポートするための関連するソフトウェアとを含むことができる。特に、そのような基地局タイプの動作は、順方向リンク帯域での無線送信と逆方向リンク帯域でのデータの受信とを含む。ＦＥＭはレガシー端末には他の基地局のように見えるので、同じネットワーク中の（本明細書ではレガシー端末とも呼ばれる）非フェムト対応デバイスに対して、フェムト対応モバイルを通して様々な適用例を使用可能にすることができる。これに関係するさらなる詳細について以下で説明する。
【００６２】
マクロ・ネットワーク中のモバイル端末のサブセットがフェムトセル機能を備える（フェムトセル対応モバイルである）場合、フェムトセル機能を含まないレガシー・モバイルを含む、ＦＥＭの近傍中のモバイル・ユニットに対して、新しい適用例を使用可能にすることができる。特に、これらの新しい適用例は、フェムト対応ピア・ツー・ピア通信、（たとえば、公共の安全またはグループアクティビティのための）ローカル・モバイル・ネットワーク、バックホールを必要としないオープン・アクセス・フェムトセル、適応カバレージ拡張、拡張位置ロケーション判断、および／またはメディアのローカル・ブロードキャストを含むことができる。以下でさらに詳細に説明するように、フェムトセル対応モバイル（ＦＥＭ）の支援を受けて、レガシー端末（ＬＭ）（たとえば、非フェムトセル対応モバイル）に対してこれらの新しい適用例を使用可能にすることができる。
【００６３】
さらに詳細に、図４を参照すると、システム４００は、多数のデバイスと通信していることが示されたワイヤレス通信装置４０２を含む。これらのデバイスは、モバイル・デバイス1４０４、モバイル・デバイス2４０６、およびモバイル・デバイスN４０８として標示され、Ｎは整数である。モバイル・デバイス４０４、４０６、および４０８は、フェムト対応、非フェムト対応、またはそれらの組合せ（たとえば、いくつかのデバイスはフェムト対応であり、他のデバイスは非フェムト対応）であるデバイスとすることができる。
【００６４】
たとえば、ワイヤレス通信装置４０２ならびにモバイル・デバイス４０４、４０６および４０８は、他のデバイスと、あるいはワイヤードまたはワイヤレス通信ネットワークと直接インターフェースするように動作可能な送信および受信構成要素を有する通信モジュールを介した他のデバイスとの通信など、様々なデバイス機能を使用可能にするためにプロセッサによって実行可能な適用例を記憶しているメモリを含むコンピュータ・デバイスとすることができる。
【００６５】
ワイヤレス通信装置３４０２中には、（本明細書では送信側デバイス４０４と呼ばれる）モバイル・デバイス1４０４などのモバイル・デバイスから通信開始要求を受信するように構成された受信機４１０が含まれる。開始要求は、送信側デバイス４０４が宛先デバイス４０８などの別のモバイル・デバイスとの通信を確立することを望むことを示す。近接度検出モジュール４１２は、宛先デバイス４０８がフェムト対応であるか非フェムト対応であるかを判断するために宛先デバイス４０８の機能を評価するように構成される。たとえば、近接度検出モジュール４１２は、本明細書で説明する機能を実行するように動作可能な、ハードウェア、ソフトウェア、コード、命令、ファームウェア、アルゴリズム、データなどの１つまたは任意の組合せを含むことができる。検出モジュール４１４はまた、送信側デバイス４０４が宛先デバイス４０８と同じ近傍（たとえば、セクタ）中にあるかどうかを判断するように構成される。送信側デバイス４０４は、非フェムト対応またはフェムト対応とすることができる。
【００６６】
宛先デバイス４０８がフェムト対応であり、両方のデバイス（送信側４０４および宛先４０８）が同じ近傍中にある場合、送信機４１４は通信をセットアップするために宛先デバイス４０８にページを送信する（たとえば、拡張チャネル割当てメッセージ（ＥＣＡＭ）、サービス接続メッセージ（ＳＣＭ）が送信される）。送信側デバイス４０４の逆方向リンク（ＲＬ）ユーザコードは、宛先デバイス４０８に対する、アップリンクまたは逆方向リンク（ＲＬ）上で送信側デバイス４０４を検索せよという要求とともに、送信機４１４によって宛先デバイス４０８に送信される。
【００６７】
宛先デバイス４０８によって報告されたＲＬ測定値（Ｅｃｐ）は、受信機４１０において受信される。この報告に部分的に基づいて、近接度検出モジュール４１２は、デバイス４０４、４０８が互いに近接しており、フェムト対応ピア・ツー・ピアセッションを開始すべきであると判断することができる。順方向リンク（ＦＬ）擬似ランダム雑音（ＰＮ）オフセット、およびフェムト対応ピア・ツー・ピア通信において使用される指定された周波数ｆFEMは、送信機４１４によって宛先デバイス４０８に送信される。宛先デバイス４０８は、指定された周波数ｆFEMで自己較正を実行することができ、その周波数でパイロットおよびオーバーヘッドの送信を開始することができる。本明細書で使用する用語、パイロットおよびオーバーヘッド・チャネルは、特に、パイロット、ページング、ブロードキャスト、および同期チャネルを含む。ワイヤレス通信装置４０２は、指定された周波数ｆFEMへの送信側デバイス４０４の周波数間ハンドオフを実行することができる。したがって、フェムト対応ピア・ツー・ピア通信セッションは送信側デバイス４０４によって開始できる。
【００６８】
いくつかの態様によれば、送信側デバイス４０４と宛先デバイス４０８の両方が非フェムト対応であり、および／またはバックホールを必要としないオープン・アクセス・フェムトセル用である場合、発呼要求を受信し、デバイス４０４、４０８が同じ近傍中にあると判断した後、送信機４１４によって通信を送信し、指定されたＰＮオフセットにおいて周波数ｆFEMでパイロットおよび共通オーバーヘッド・チャネルを送信するように、通信環境中のフェムト対応デバイスに要求することができる。指定された周波数ｆFEMで両方のデバイス４０４、４０８からパイロット測定値の要求を要求することもできる。
【００６９】
呼セットアップモジュール３１６は、報告された信号強度を検討する。たとえば、呼セットアップモジュール４１６は、本明細書で説明する機能を実行するように動作可能な、ハードウェア、ソフトウェア、コード、命令、ファームウェア、アルゴリズム、データなどの１つまたは任意の組合せを含むことができる。両方のデバイス４０４、４０８が、フェムト対応デバイス、たとえば、ＦＥＭモジュール４１８を有するモバイル・デバイス2４０６によって表される、セクタ中のフェムト対応デバイスからの強い信号強度を報告する場合、呼セットアップモジュール４１６はフェムト対応ピア・ツー・ピア通信のための「ハブ」としてそのフェムト対応デバイス４０６を選択する。ＦＥＭモジュール４１８は、ＦＥＭ４０６がＦＬ上で他のモバイル・デバイスに通信を送信することを可能にする順方向リンク（ＦＬ）送信（Ｔｘ）機能を含む。また、ＦＥＭモジュール４１８は、ＦＥＭ３０６が他のモバイル・デバイスから通信を受信することを可能にする逆方向リンク（ＲＬ）受信（Ｒｘ）機能を含む。したがって、ＦＥＭ４０６はアクセスポイントなどのワイヤレス通信装置４０２との、または第１のモバイル通信デバイスとの第１のＦＬおよび第１のＲＬ、ならびに第２のモバイル通信デバイスとの第２のＦＬおよび第２のＲＬを確立することができ、それによってＦＥＭ４０６は他のモバイル・デバイスのためのサービングセクタになることができる。たとえば、いくつかの態様では、ＦＥＭモジュール４１８は、移動局機能を使用可能にするための移動局モデム（ＭＳＭ）と、基地局と同様の機能を使用可能にするためのセルサイト・モデム（ＣＳＭ）とを含むことができる。したがって、ＦＥＭモジュール４１８は、ＦＥＭ３０６が他のモバイル・デバイスによって基地局として知覚されることを可能にする、本明細書で説明する機能を実行し、基地局と同様の機能を実行するように動作可能であり、それによってフェムト対応モバイルを定義する、ハードウェア、ソフトウェア、コード、命令、ファームウェア、アルゴリズム、データなどの１つまたは任意の組合せを含むことができる。
【００７０】
呼セットアップモジュール４１６の判断に基づいて、送信機４１４は、フェムト対応デバイス３０６にページを送信し、呼をセットアップする。フェムト対応デバイス４０６は、指定された周波数ｆFEMで自己較正を実行し、周波数ｆFEMでパイロットおよびオーバーヘッドの送信を開始する。ワイヤレス通信装置４０２は、指定された周波数ｆFEMへの非フェムト対応デバイスの周波数間ハンドオフを実行する。非フェムト対応デバイス４０４、４０８は、順方向リンク上でフェムト対応デバイス４０６を取得し、非フェムト対応デバイス４０４、４０８間でフェムト対応ピア・ツー・ピア通信セッションが開始される。
【００７１】
いくつかの態様によれば、フェムト対応デバイスは、緊急適用例、チームビルディング、または他のグループイベントのためのローカル・モバイル・ネットワークを作成することができる。フェムト対応デバイスは、モバイル・ネットワークを広告するためにパイロットおよび共通オーバーヘッド・チャネルを送信することができ、ユーザのリストを収集するために登録要求を受け付けることができる。したがって、フェムト対応デバイスは、同じ地理的エリア中のモバイル間の通信を可能にし、および／または同じ地理的エリア中のモバイルに緊急メッセージをブロードキャストすることができる。
【００７２】
いくつかの態様によれば、フェムト対応デバイスはワイヤレス・バックホール機能が使用可能であり、それにより、デバイスが不良マクロカバレージ中にある場合、フェムト対応デバイスは、その（フェムト対応デバイスの）機能をアクティブにすることによって非フェムト対応デバイスのためのカバレージを与えることができるようになる。この状況では、フェムト対応デバイスは、マクロカバレージが不良であることを検出し、代替ワイヤレス・バックホールに接続してフェムト機能を使用可能にする。
【００７３】
いくつかの態様によれば、フェムト対応デバイスは位置ロケーション判断を向上させることができる。モバイルの位置ロケーション推定値を改善するために、フェムト対応デバイスからの順方向リンクパイロット測定値を利用することができる。確実なロケーション情報をもつフェムト対応デバイスは、指定された周波数でパイロットおよび共通オーバーヘッド・チャネルを送信することができる。（１つまたは複数の）フェムト対応デバイスの近傍中のモバイルは、フェムト対応デバイスからのパイロットおよび共通オーバーヘッド・チャネル信号を検出することができる。フェムト対応デバイスのＧＰＳロケーション情報が与えられると、不良ＧＰＳカバレージ中のモバイルは、それらの三角測量アルゴリズムの一部としてフェムト対応デバイスからのパイロットおよび共通オーバーヘッド・チャネルを利用して、それらの位置ロケーション推定値を改善することができる。
【００７４】
以下は、本明細書で提示する様々な態様による動作のいくつかの使用事例および技術的詳細について説明する。この詳細な説明では、以降、３Ｇ技術（ＣＤＭＡ２０００、１ｘＥＶ−ＤＯ、ＷＣＤＭＡ（登録商標）、ＨＳＰＡ＋）に関係する態様について説明するが、他の技術を利用することができる。フェムト対応モバイル（ＦＥＭ）は近傍中の他のモバイルに対する干渉を潜在的に作成することができるので、この説明では、マクロセル・モバイルに対して作成された干渉を緩和することができるように、フェムトセル対応モバイルのための（たとえば、専用の）いくつかの周波数（たとえば、ｆFEM）が割り振られると仮定する。
【００７５】
ネットワーク中のＦＥＭの支援を受けた３Ｇモバイル間のフェムト対応ピア・ツー・ピア通信適用例に関して、本明細書で様々な態様を提示する。このタイプの動作の利点は、マクロセル・システムのシステム・リソース（たとえば、エアリンク、チャネル要素、バックホール）のいずれも使用しないことである。さらに、適用例は、レガシー・モバイルの規格または実装形態の変更を必要とせずにレガシー・モバイルに適用する。説明のために、セルラー・ネットワーク中のモバイルユーザを、（１）フェムト対応モバイル（ＦＥＭ）と、（２）フェムトセル機能がないレガシー・モバイル（ＬＭ）または非フェムト対応デバイスとの２つのグループに分類する。フェムト対応ピア・ツー・ピア通信に関与する当事者（たとえば、ＬＭ、ＦＥＭ）に応じて、様々なシナリオについて説明する。使用事例ごとに、モバイル間のフェムト対応ピア・ツー・ピア通信を可能にするための動作について説明する。
【００７６】
図５に、フェムト対応モバイル（ＦＥＭ）５０４と通信するレガシー・モバイル（ＬＭ）デバイス５０２のための呼フローの例５００を示す。通信は、たとえば、１ｘＲＴＴモバイル中のボイス呼とすることができる。図示のシナリオでは、ＬＭ５０２は、フェムト対応ピア・ツー・ピア適用例のための同じ地理的エリア中にあるＦＥＭ５０４に発呼する。
【００７７】
呼は、ＬＭ５０２によって開始され、ＦＥＭ５０４を対象とする。ＬＭ５０２から別のモバイルに宛てられた発呼メッセージが送信され、ＲＡＮ５０６によって受信され、ＲＡＮ５０６はＬＭ５０２からの呼要求を受け付ける（たとえば、ＥＣＡＭ、ＳＣＭが送信される）。特に、ＲＡＮ５０６は、マクロセルなどのセルラー基地局とすることができる。
【００７８】
次いで、ＲＡＮは、ＬＭ５０２および宛先モバイルが地理的に近接しているかどうか、または同じ近傍中にあるかどうかを判断する。ＲＡＮ５０６はまた、その近傍中にフェムト対応デバイスがあるかどうかを判断する。たとえば、ＲＡＮ５０６は、宛先モバイル５０４がフェムト対応であり、（このシナリオでは）ＬＭ５０２と同じ近傍（たとえば、セクタなど）中にあると判断する。地理的近接度は、いくつかの方法のいずれかにおいて判断できる。特に、近接度は、たとえば、衛星ベースのＧＰＳ機能を使用することによって取得された情報などのロケーション情報に基づいて、地上波ネットワークベースのロケーション情報を使用して（たとえば、セルラー基地局信号タイミングを介して）、ＦＥＭとＬＭとが同じ基地局のカバレージ内にあると判断することによって、ＦＥＭおよびＬＭがそれらのそれぞれのロケーション情報に基づいて互いの近接度しきい値内にあると判断することによって判断でき、近接度しきい値は、キャリア、地理的エリアまたはネットワークエリア、関係するデバイスなどに応じて構成することができるか、または、ＲＡＮ５０６が別のエンティティから地理的近接度またはしきい値判断を取得することができる。
【００７９】
概略近接度が判断されると、ＦＥＭとＬＭとが同じＲＡＮの範囲内のあると判断することなどによって、ＦＥＭとＬＭとの近接度のレベルに関してまたさらなる情報を収集することができる。たとえば、ＬＭによって受信され、ＲＡＮに報告されたパイロット信号および共通オーバーヘッド・チャネルを送信するように、ＦＥＭに命令することができる。
【００８０】
次いで、ＲＡＮは、ＬＭからの報告に基づいて、フェムト対応ピア・ツー・ピア適用例を確立するために、ＦＥＭを使用するべきかどうかを判断する。
【００８１】
ＲＡＮ５０６は、ＦＥＭ４０４をページングして呼をセットアップする（たとえば、ＥＣＡＭ、ＳＣＭが送信される）。
【００８２】
態様は、これらの要素に基づいてフェムト対応ピア・ツー・ピア適用例を確立するために、構造化されたＦＥＭとＲＡＮとを含むことができる。ＬＭ５０２とＦＥＭ５０４が同じ近傍中にあると判断した後、ＲＡＮ５０６は、ＦＥＭ５０４へのＬＭ５０２のためのハンドオフを実行する。
【００８３】
さらに、実施形態は以下の要素のいずれかを含むことができる。ＲＡＮ５０６は、ＬＭ５０２の逆方向リンク（ＲＬ）ユーザコードと、ＦＥＭ５０４が逆方向リンク（ＲＬ）とも呼ばれるアップリンク（ＵＬ）上で特定のユーザ（たとえば、ＬＭ５０２）を検索するという要求とをＦＥＭ５０４に通信することができる。
【００８４】
ＦＥＭ５０４は、ＲＡＮ５０６にＲＬ測定値（Ｅｃｐ）を報告することができる。ＦＥＭ報告に基づいて、ＲＡＮ５０６は、モバイル（ＬＭ５０２およびＦＥＭ５０４）が互いに近接しており、フェムト対応ピア・ツー・ピアセッションを開始すべきであると判断する。ＲＡＮ５０６は、フェムト対応ピア・ツー・ピア通信において使用すべきＦＬ  ＰＮオフセットおよび設計された周波数ｆFEMをＦＥＭ５０４に示すことができる。いくつかの態様によれば、最適なＰＮオフセットおよび指定された周波数ｆFEM割当ては、ＦＥＭ５０４によって実行される測定に基づいて実行できる。
【００８５】
ＦＥＭ５０４は、設計された周波数ｆFEMで自己較正を実行することができるたとえば、ＦＥＭはＦＬ送信電力とアップリンク雑音指数とを調整する。目的は、他のモバイルへの干渉影響を緩和することとすることができる。自己較正を支援するために、ＬＭ５０２からのＲＬ  Ｅｃｐ測定値と、ＲＡＮ  ＦＬパイロットおよび共通オーバーヘッド・チャネル測定値とを利用することができる。
【００８６】
ＦＥＭ５０４は、周波数ｆFEMでパイロットおよびオーバーヘッドの送信を開始する。
【００８７】
ＲＡＮ５０６は、指定された周波数ｆFEMへのＬＭ５０２の周波数間ハンドオフを実行する（たとえば、一般的ハンドオフ指示メッセージが送信される）。ＬＭ５０２はＦＬ上のＦＥＭ５０４を獲得し、フェムト対応ピア・ツー・ピア通信セッションが開始される。
【００８８】
したがって、レガシー・モバイルと通信するために追加の変更は不要である。ＦＥＭは基地局と同様に機能し、レガシー・モバイルは基地局を通しているかのように通信する。
【００８９】
いくつかの態様によれば、フェムト対応モバイル（ＦＥＭ）は、フェムト対応ピア・ツー・ピア通信のための同様の地理的エリア中の別のフェムト対応モバイル（ＦＥＭ）との通信を開始することができる。このフェムト対応ピア・ツー・ピア通信は、フェムト対応モバイルとの通信を開始するレガシー・モバイル（ＬＭ）に関して上述の動作と同様の動作を利用することによって、このフェムト対応ピア・ツー・ピア通信を可能にすることができる。
【００９０】
様々な態様による、実装できる方法は、後続のフローチャートを参照すればより良く諒解されよう。説明を簡単にするために、方法を一連のブロックとして図示し説明するが、いくつかのブロックは、本明細書で図示し説明する順序とは異なる順序で、および／または他のブロックとほぼ同時に行われるので、請求する主題はブロックの数または順序によって限定されないことを理解し、諒解されたい。さらに、以下で説明する方法を実施するために、図示されたすべてのブロックが必要とされるわけではない。ブロックに関連する機能は、ソフトウェア、ハードウェア、それらの組合せまたは他の好適な手段（たとえば、デバイス、システム、プロセス、構成要素）によって実装できることを諒解されたい。
【００９１】
以下および本明細書の全体にわたって開示する方法は、そのような方法を様々なデバイスに移送および転送することを可能にする製造品に記憶することが可能である。方法は、状態図などで、一連の相互に関連する状態またはイベントとして代替的に表現できることを、当業者なら理解し、諒解するであろう。
【００９２】
図６に、レガシー・モバイル（ＬＭ）デバイスがフェムト対応ピア・ツー・ピア適用例のための同様の地理的エリア中の別のＬＭに発呼するための方法６００を示す。ＦＥＭがまたこの地理的エリア中にある場合、ＲＡＮと同様に、ＦＥＭは２つのＬＭ間の通信を受信および送信することができる。したがって、ＦＥＭは、たとえば、２つのＬＭ間の基地局として機能することが可能である。上述の適用例の場合と同様に、ＬＭのための変更は不要であり、ＬＭは、ＲＡＮを通して通信するのと同様に、ＦＥＭを通して通信する。６０２において、ＲＡＮはＬＭから発呼要求を受信する。ＲＡＮは、ＬＭからの呼要求を受け付ける（たとえば、ＥＣＡＭ、ＳＣＭが送信される）。６０４において、ＲＡＮは、宛先モバイルが発呼者モバイルと同じ近傍（たとえば、セクタなど）中にあると判断する。
【００９３】
ＲＡＮは、１つまたは複数のＦＥＭが同じエリア中にあることを発見し、６０６において、ＲＡＮは指定されたＰＮオフセットにおいて周波数ｆFEMでパイロットおよび共通オーバーヘッド・チャネルを送信するようにＦＥＭに要求する。いくつかの態様によれば、デバイスのバッテリ寿命に影響がある可能性があるので、ＦＥＭユーザはインセンティブを与えられる（たとえば、ＦＥＭは、それらの「サービス」のために数分間稼得すること、アカウントクレジットを受け取ることなどができる）。
【００９４】
６０８において、ＲＡＮは、指定された周波数ｆFEMで両方のＬＭからパイロットおよび共通オーバーヘッド・チャネル測定値を要求する。両方のＬＭが周波数ｆFEMで特定のＦＥＭからのしきい値信号強度を報告する場合、ＲＡＮはフェムト対応ピア・ツー・ピア通信のための「ハブ」としてその特定のＦＥＭを（１つまたは複数のＦＥＭから）選択する。特定のＦＥＭの選択は、通信全体にわたって再評価でき、いつでも変更できる。
【００９５】
６１０において、ＲＡＮは、選ばれたＦＥＭをページングし、呼をセットアップする。
【００９６】
ＦＥＭは、指定された周波数ｆFEMで自己較正を実行する。たとえば、ＦＥＭはＦＬ送信電力とアップリンク雑音指数とを調整し、それにより他のモバイルへの干渉影響を緩和することができる。自己較正を支援するために、ＬＭからのＲＬ  Ｅｃｐ測定値と、ＲＡＮ
ＦＬパイロットおよび共通オーバーヘッド・チャネル測定値とを利用することができる。ＦＥＭは、周波数ｆFEMでパイロットおよびオーバーヘッドの送信を開始する。
【００９７】
６１２において、ＲＡＮは指定された周波数ｆFEMへのＬＭの周波数間ハンドオフを実行する。たとえば、一般的ハンドオフ指示メッセージを送信する。ＬＭがＦＬ上のＦＥＭを獲得し、ＬＭ間でフェムト対応ピア・ツー・ピア通信セッションが開始される。
【００９８】
いくつかの態様によれば、バックホールを必要としないオープン・アクセス・フェムトセルが、図６に示し、図６を参照しながら説明したのとほぼ同様に動作する。この態様によれば、低コストフェムトセルは、フェムト対応ピア・ツー・ピア・トラフィックをもつ高トラフィック・エリア中にある（たとえば、学校、ショッピング・モールなど）。これらのフェムトセルは、電源（たとえば、電源出力）に接続でき、バックホールを必要としない。レガシー・モバイル（ＬＭ）は、フェムト対応ピア・ツー・ピア適用例のための同じ地理的エリア中の別のＬＭと通信することができる。
【００９９】
ＲＡＮからＦＥＭへの呼のためのハンドオフは、様々なときに行うことができる。たとえば、呼が開始されるとき、ＦＥＭがまた同じ近傍中にあるかどうか、および発呼側モバイルと宛先モバイルとが同じ近傍中にあるかどうかを判断する間、ＲＡＮは発呼側モバイルを待たせることができる。ＲＡＮからＦＥＭへのハンドオフが行われるまで、ＲＡＮは発呼側モバイルに待たせることができる。さらに、ＲＡＮは、最初に発呼側モバイルと宛先モバイルとの間の呼をセットアップし、次いで通信をＦＥＭにハンドオフする。たとえば、呼セットアップ中および呼セットアップ後に近接度判断を行うことができる。ＲＡＮは、発呼側モバイルと宛先モバイルとの間の通信中にいつでも、通信をより効率的な呼モードにハンドオフすることができる。
【０１００】
近接度の他に、ＲＡＮは追加のファクタを考慮することができる。たとえば、ＲＡＮは、呼をＦＥＭにハンドオフする前に、ＦＥＭによってすでに管理されているトラフィックの量を考慮することができる。ＦＥＭまたはある地理的領域中の複数のＦＥＭは、送信のための周波数の限定されたセットを有することができる。ＲＡＮは、ＦＥＭまたは地理的領域中のＦＥＭまたは複数のＦＥＭの１つに通信をハンドオフする前に、ＦＥＭまたは複数のＦＥＭの能力しきい値と現在の負荷とを考慮することができる。特に、ＲＡＮは、信号強度、トラフィックの量、利用可能な周波数の量、起こりうる干渉、可能な最も高いデータレートを与える配信、およびスループットを最大にする配信を考慮することができる。上述のように、呼がセットアップされる前、または呼中にいつでもこれらの判断を行うことができる。
【０１０１】
ＦＥＭに発呼者ペアを割り当てることは、全体的なシステムスループットを最大にするために、信号対干渉＋雑音比（ＳＩＮＲ）だけでなく、ＦＥＭによってサービスされる発呼者ペアの数、ならびにそれらの現在のスループットを考慮することを含むことができる。たとえば、非常に多くのモバイルが第１のＦＥＭによってサービスされている場合、呼が第１のＦＥＭからより良いＳＮＲを有することができるにもかかわらず、新しい呼を他のＦＥＭに割り当てることができる。モバイルがＦＥＭに割り当てられると、割当てを呼全体にわたって保つことができるか、または、モビリティによるか、またはシステムにおける他のモバイルの到着または逸脱による信号品質（ＳＮＲ）の変化に基づいて、モバイルを様々なＦＥＭに再割当てすることができる。
【０１０２】
様々なＦＥＭにモバイルを割り当てる際に、様々な最適化基準を使用することができる。１つの方法は、システム中のすべてのモバイルの総スループットまたは累積スループットを最大にすることを含むことができる。別の方法は、ユーザがシステムにおいて取得する最小スループットを最大にすることを含むことができる。
【０１０３】
システムスループットを最大にするかまたは最小スループットを最大にするかにかかわらず、ＦＥＭへの発呼者ペアのすべての可能な割当てにわたってスループットを計算し、最良の割当てを選択する。さらに、連続的な割当てでは、あらゆるステップにおいて、発呼者ペアにサービスするためにＦＥＭをオンにするか、またはすでにオンになっているＦＥＭに発呼者ペアを割り当てるかのいずれかのうち、所望のパラメータを最大にする方が行われる。
【０１０４】
少数の発呼者ペアのための１回限りの割当ての実行では、ＦＥＭは、検討中の発呼者ペアに与える共通ＳＩＮＲを低下させる順にＦＥＭを配置し、一番上の２つのＦＥＭを割振りのために考慮することができる。さらに、領域中に複数のＦＥＭがあるとき、ＦＥＭの各々を交互に使用することができる。特に、ＦＥＭ間で時分割を採用するか、または複数のＦＥＭの間でラウンドロビンタイプスケジュールなどの繰り返し交代スケジュールを採用することができる。
【０１０５】
次に図７を参照すると、ローカル・モバイル・ネットワークを作成するための方法７００が示されている。ローカル・モバイル・ネットワークは、緊急適用例（たとえば、ブロードキャストローカル緊急情報）のためにＦＥＭによって作成できる。いくつかの態様によれば、グループに含めるべきではない他者に対して閉じられたチームビルディングおよび／またはグループイベントのためにローカル・モバイル・ネットワークを作成することができる。この適用例は、別のＲＡＮによってカバーされないロケーションなどのリモートロケーション中のグループのために使用できる。メディアが共有される当事者のため、ならびに他の目的のために、ローカル・モバイル・ネットワークを作成することもできる。
【０１０６】
７０２において、ＦＥＭは、モバイル・ネットワークを広告するためにパイロットおよび共通オーバーヘッド・チャネルを送信する。緊急適用例の場合は、パイロットおよび共通オーバーヘッド・チャネルをすべての周波数で送信することができる。非緊急適用例の場合は、パイロットおよび共通オーバーヘッド・チャネルを指定されたｆFEMで送信することができる。次いで、ユーザは、広告されたモバイル・ネットワークに加入するオプションを選択する。この選択により、ＦＥＭに登録要求が送信される。たとえば、ユーザは、ボタンを押して、ＦＥＭによって確立されたモバイル・ネットワークからの送信を受信する。７０４において、ＦＥＭは、登録要求を受け付け、ユーザのリストを収集する。７０６において、同じ地理的エリア中のモバイル間の通信を可能にする。いくつかの態様によれば、同じ地理的エリア中のモバイルに緊急メッセージをブロードキャストすることができる。
【０１０７】
図８に、適応カバレージ拡張のための別の方法８００を示す。ＦＥＭは、ワイヤレス・バックホール能力（たとえば、ＷｉＦｉ、ブルートゥースなど）が使用可能である。ＦＥＭが不良セルラー・カバレージ中にあるとき、ＬＭのためのカバレージを与えるためにフェムト機能が使用可能である。上記の適用例の場合と同様に、ＬＭはあたかもＲＡＮと通信する。したがって、ＦＥＭは、セルラー通信を使用するが、単独では代替ワイヤレス・バックホールにアクセスすることができないデバイスに代替ワイヤレス・バックホールへのアクセスを与えることによって、同じ地理的領域中のＬＭのためのカバレージを拡張または改善する。
【０１０８】
８０２において、ＦＥＭは、セルラー・カバレージが不良である（たとえば、しきい値を下回る）ことを検出する。この検出は、様々なパラメータ（たとえば、信号強度、信号対雑音比など）に基づくことができる。セルラー・カバレージが不良である場合、８０４において、ＦＥＭは代替ワイヤレス・バックホール（たとえば、ホットスポット、キャンパスＷｉＦｉネットワーク、ホームＷｉＦｉネットワークなど）に接続する。８０６において、フェムト機能を使用可能にする。そのような使用可能化は、パイロット、オーバーヘッドなどを複数の周波数で送信することを開始することを含むことができる。ＦＥＭの近傍中のＬＭは、フェムトセルを取得し、それらのＢＴＳとしてＦＥＭと通信することができる。
【０１０９】
いくつかの態様によれば、ＦＥＭによって拡張位置ロケーション判断を可能にすることができる。モバイルの位置ロケーション推定値を改善するために、ＦＥＭからのＦＬパイロットおよび共通オーバーヘッド・チャネル測定値を利用することができる。この態様によれば、信頼できるロケーション情報（たとえば、強いＧＰＳ信号）をもつＦＥＭは、指定された周波数でパイロットおよび共通オーバーヘッド・チャネルを送信する。ＦＥＭの近傍中のモバイルは、ＦＥＭパイロットまたは共通オーバーヘッド・チャネル信号を検出することができる。送信ＦＥＭのＧＰＳロケーション情報が与えられると、不良ＧＰＳカバレージエリア中のモバイルは、ＦＥＭパイロットまたは共通オーバーヘッド・チャネルを三角測量アルゴリズムの一部として使用して、それらの位置ロケーション推定値を改善することができる。ＦＥＭを他の基地局と組み合わせて使用して、他のモバイルのロケーションを三角測量することができる。そのロケーションを判断しようと試みているモバイルにＦＥＭがより近接している場合、モバイルによって受信されたＦＥＭ信号は、その近接度のためにより信頼できることになる。ＦＥＭ信号の正確さは、信号強度においてだけでなく、タイミングにおいてもより信頼できることになる。ＦＥＭパイロット信号の到着時間をより正確に推定することによって、モバイルのロケーション判断を改善することができる。この使用中に、ＦＥＭは移動することができるが、他の基地局は移動しない。これにより、他のモバイルの位置ロケーション推定値を改善することができる。
【０１１０】
たとえば、ＦＥＭはその位置を取得または判断する。次いで、ＦＥＭはその位置を位置／ロケーション判断エンティティに通信する。ＦＥＭはまたパイロットまたは共通オーバーヘッド信号を送信する。次いで、ＦＥＭから送信されたパイロットまたはオーバーヘッド信号を受信するモバイル・デバイスは、それ自体のロケーションを判断する際にパイロットまたはオーバーヘッド情報を使用する。判断は、モバイル・デバイス自体によって行われるか、または、モバイル・デバイスの位置を計算し、モバイル・デバイスの位置をモバイル・デバイスに送信する位置／ロケーション判断エンティティに受信情報を送信することによって行われる。
【０１１１】
図１４に、モバイル・デバイス１４０３がいくつかのソースから位置情報を受信する例示的な変形体を示す。上記のように、モバイル・デバイスは、受信した位置情報を使用し、それ自体でそれ自体のロケーションを判断するか、または、モバイル・デバイスは、モバイル・デバイス１４０３のロケーションを判断し、そのロケーションをモバイル・デバイスに送信するロケーション判断エンティティ１４０２に受信情報を送信することができる。ロケーション判断エンティティ１４０２とモバイル・デバイスとの間の通信は基地局１４０５を介して行うことができる。図１４は、モバイル・デバイスが、基地局１４０４および１４０５から、ならびにフェムト対応デバイス１４０１から、タイミング信号など、位置判断のために有用な信号、および／または信号送信デバイスのロケーションなどの追加情報を受信することを示している。ただ１つのＦＥＭが示されているが、基地局１４０４および１４０５のいずれかをＦＥＭと交換することもできる。したがって、モバイル・デバイス１４０３は、ＦＥＭ１４０１の位置に少なくとも部分的に基づいて、それ自体の位置を判断または取得することができる。
【０１１２】
いくつかの態様によれば、ＦＥＭを通したブロードキャスト・メディアのローカル・ブロードキャストが行われる。ブロードキャスト・メディア機能が使用可能であるＦＥＭは、同様の地理的エリア内にある他のモバイル・デバイスにメディア・コンテンツを送信することができる。たとえば、ＦＥＭデバイスは、カリフォルニア州サンディエゴのＱＵＡＬＣＯＭＭ社のＭｅｄｉａＦＬＯ（商標）サービスなどのブロードキャスト・メディアを受信することが可能である。ＦＥＭは、ブロードキャスト・メディア対応ではないが、コンテンツを受信することに関心がある、近傍中の他のモバイル・デバイスとの通信チャネルを確立する。いくつかの態様によれば、ＦＥＭからレガシー・モバイルまでのコンテンツ選択のために適用例を利用することができる。ブロードキャスト・メディア能力が使用可能であるＦＥＭは、要求されたメディアを近傍中のモバイルに送信することができる。
【０１１３】
様々な態様によれば、マクロ・ネットワーク中のモバイル端末のサブセットまたは部分がフェムトセル機能を装備する場合（たとえば、フェムトセル対応モバイル）、（レガシー・モバイル端末を含む）すべてのモバイルのために新しい適用例を使用可能にすることができる。そのような適用例は、限定はしないが、フェムト対応ピア・ツー・ピア通信、（たとえば、公共安全またはグループアクティビティのための）ローカル・モバイル・ネットワーク、バックホールを必要としないオープン・アクセス・フェムトセル、適応カバレージ拡張、および／または拡張位置ロケーション判断を含む。
【０１１４】
図９を参照すると、フェムトセル機能を使用可能にするワイヤレス通信システム９００が示されている。システム９００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム９００は、連携して動作することができる電気構成要素の論理グルーピング９０２を含む。たとえば、論理グルーピング９０２は、第２のデバイスと通信するための発信メッセージを第１のデバイスから受信するためのモジュール９０４と、第１のデバイスと第２のデバイスとが地理的に近接しているかどうかを判断するためのモジュール９０６と、フェムト対応デバイスが第１のデバイスと第２のデバイスとに地理的に近接しているかどうかを判断するためのモジュール９０８と、第１のデバイスと第２のデバイスとフェムト対応デバイスとが地理的に近接している場合、フェムト対応デバイスへの第１のデバイスのためのハンドオフを実行するためのモジュール９１０とを含むことができる。
【０１１５】
さらに、システム９００は、電気構成要素９０４、９０６、９０８、および９１０に関連付けられた機能を実行するための命令を保持するメモリ９１２を含むことができる。メモリ９１２の外部にあるものとして図示されているが、１つまたは複数の電気構成要素９０４、９０６、９０８、および９１０はメモリ９１２の内部に存在することができることを理解されたい。
【０１１６】
図１０に、例示的なワイヤレス通信装置１０００を示す。システム１０００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１０００は、連携して動作することができる電気構成要素の論理グルーピング１００２を含む。たとえば、論理グルーピング１００２は、ワイヤレス・フェムトセル通信を送信するためのモジュール１００４と、第２のデバイスと通信するための第１のデバイスからの発信に関する通信をＲＡＮから受信するモジュール１００６と、ＲＡＮからの通信に基づいて第１のデバイスと第２のデバイスとの間の通信をセットアップするためのモジュール１００８とを含むことができる。ワイヤレス通信デバイスは、第１のデバイスから通信を受信するためのモジュール１０１０と、第２のデバイスに通信を送信するための手段１０１２とをさらに含むことができる。
【０１１７】
さらに、システム１０００は、電気構成要素１００４、１００６、１００８、１０１０、および１０１２に関連付けられた機能を実行するための命令を保持するメモリ１０１４を含むことができる。メモリ１０１４の外部にあるものとして図示されているが、１つまたは複数の電気構成要素１００４、１００６、１００８、１０１０、および１０１２はメモリ１０１４の内部に存在することができることを理解されたい。
【０１１８】
図１１に、例示的なワイヤレス通信装置１１００を示す。システム１１００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１１００は、連携して動作することができる電気構成要素の論理グルーピング１１０２を含む。たとえば、論理グルーピング１１０２は、移動局モデム（ＭＳＭ）とセルサイト・モデム（ＣＳＭ）とを有する第１のモバイル・デバイスからパイロットおよび共通オーバーヘッド・チャネルを送信するためのモジュール１１０４と、順方向リンク上で第２のモバイル・デバイスに通信を送信すること、および逆方向リンク上で第２のモバイル・デバイスから通信を受信することのうちの少なくとも１つを含む、通信リンクを確立するためのモジュール１１０８とを含むことができる。
【０１１９】
さらに、システム１１００は、電気構成要素１１０４、１１０８に関連する機能を実行するための命令を保持するメモリ１１１０を含むことができる。メモリ１１１０の外部にあるものとして示されているが、電気構成要素１１０４および１１０８の１つまたは複数は、メモリ１１１０の内部に存在することができることを理解されたい。
【０１２０】
図１２に、例示的なワイヤレス通信装置１２００を示す。システム１２００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１２００は、連携して動作することができる電気構成要素の論理グルーピング１２０２を含む。たとえば、論理グルーピング１２０２は、不良セルラー・カバレージを検出するためのモジュール１２０４と、代替ワイヤレス・バックホールに接続するためのモジュール１２０６と、パイロットおよび共通オーバーヘッド・チャネルを送信するためのモジュール１２０８と、代替ワイヤレス・バックホールを介してフォワーディングするために第１の逆方向リンク上でセルラー・モバイル・デバイスから第１の通信を受信するためのモジュール１２１０と、代替ワイヤレス・バックホールを介して受信した第２の通信を第１の順方向リンク上でセルラー・モバイル・デバイスに送信するためのモジュール１２１２とを含むことができる。
【０１２１】
さらに、システム１２００は、電気構成要素１２０４、１２０６、１２０８、１２１０、および１２１２に関連付けられた機能を実行するための命令を保持するメモリ１２１４を含むことができる。メモリ１２１４の外部にあるものとして図示されているが、１つまたは複数の電気構成要素１２０４、１２０６、１２０８、１２１０、および１２１２はメモリ１２１４の内部に存在することができることを理解されたい。
【０１２２】
図１３に、例示的なワイヤレス通信装置１３００を示す。システム１３００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１３００は、連携して動作することができる電気構成要素の論理グルーピング１３０２を含む。たとえば、論理グルーピング１３０２は、フェムト対応デバイスのロケーションを取得するためのモジュール１３０４と、ロケーション情報をロケーション判断エンティティに通信するためのモジュール１３０６と、フェムト対応デバイスのロケーション情報をモバイル・デバイスに送信するためのモジュール１３０８とを含むことができる。
【０１２３】
さらに、システム１３００は、電気構成要素１３０４、１３０６、および１３０８に関連する機能を実行するための命令を保持するメモリ１３１０を含むことができる。メモリ１３１０の外部にあるものとして示されているが、電気構成要素１３０４、１３０６、および１３０８の１つまたは複数は、メモリ１３１０の内部に存在することができることを理解されたい。
【０１２４】
本明細書は本態様の特定の例を記載しているが、当業者なら、記載の概念を逸脱することなくこれらの態様の変形物を考案することができる。たとえば、本明細書における教示は、回路交換ネットワーク要素に関するが、パケット交換ドメイン・ネットワーク要素にも等しく適用できる。
【０１２５】
情報および信号は、様々な異なる技術および技法のいずれを使用しても表すことができることを、当業者なら理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１２６】
さらに、本明細書で開示した例に関連して説明した様々な例示的な論理ブロック、モジュール、回路、方法およびアルゴリズムは、電子ハードウェア、コンピュータ・ソフトェア、または両方の組合せとして実施できることを、当業者は理解されよう。ハードウェアとソフトウェアのこの互換性を明確に説明するために、様々な例示的な構成要素、ブロック、モジュール、回路、方法、およびアルゴリズムについて、概してそれらの機能に関して上記で説明した。そのような機能をハードウェアとして実装するか、ソフトウェアとして実装するかは、特定の適用例および全体的なシステムに課される設計制約に依存する。
【０１２７】
当業者は、説明した機能を特定の適用例ごとに様々な方法で実装することができるが、そのような実装の決定は、本発明の範囲からの逸脱を生じるものと解釈すべきではない。
【０１２８】
本明細書で開示した例に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティング・デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。さらに、少なくとも１つのプロセッサは、上述のステップおよび／またはアクションの１つまたは複数を実行するように動作可能な１つまたは複数のモジュールを備えることができる。
【０１２９】
本明細書で開示した例に関して説明した方法またはアルゴリズムは、直接ハードウェアで、プロセッサによって実行されるソフトウェアモジュールで、またはその２つの組合せで実施できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。記憶媒体は、プロセッサがその記憶媒体から情報を読み取り、その記憶媒体に情報を書き込むことができるようにプロセッサに結合できる。代替として、記憶媒体はプロセッサに一体化することができる。プロセッサおよび記憶媒体はＡＳＩＣ中に常駐することができる。さらに、いくつかの態様では、方法またはアルゴリズムのステップおよび／またはアクションは、コンピュータ・プログラム製品に組み込むことができる、機械可読媒体および／またはコンピュータ可読媒体上のコードおよび／または命令の１つまたは任意の組合せ、あるいはそのセットとして常駐することができる。
【０１３０】
１つまたは複数の例示的な実施形態では、説明した機能はハードウェア、ソフトウェア、ファームウェア、またはその任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータ・プログラムの転送を可能にする任意の媒体を含む、コンピュータ記憶媒体と通信媒体の両方を含む。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形態の所望のプログラムコードを担持または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１３１】
開示した例の前述の説明は、当業者が本発明を製作または使用できるように与えられている。これらの例の様々な変更形態は、当業者には容易に明らかになるものであり、本明細書で定義した一般原理は、本開示の趣旨または範囲から逸脱することなく他の例に適用できる。したがって、本発明は、本明細書で示した例に限定されるものではなく、本明細書で開示した原理および新規の特徴と合致する最も広い範囲が与えられるべきである。
【図１】
2015084532.tif 000003
【図２】
2015084532.tif 000004
【図３】
2015084532.tif 000005
【図４】
2015084532.tif 000006
【図５】
2015084532.tif 000007
【図６】
2015084532.tif 000008
【図７】
2015084532.tif 000009
【図８】
2015084532.tif 000010
【図９】
2015084532.tif 000011
【図１０】
2015084532.tif 000012
【図１１】
2015084532.tif 000013
【図１２】
2015084532.tif 000014
【図１３】
2015084532.tif 000015
【図１４】
2015084532.tif 000016
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
フェムトセル機能を使用可能にするための方法であって、
第２のデバイスと通信するための発信メッセージを第１のデバイスから受信することと、
前記第１のデバイスと前記第２のデバイスとが地理的に近接しているかどうかを判断することと、
フェムト対応デバイスが前記第１のデバイスと前記第２のデバイスとに地理的に近接しているかどうかを判断することと、
前記第１のデバイスと前記第２のデバイスと前記フェムト対応デバイスとが地理的に近接している場合、前記フェムト対応デバイスへの前記第１のデバイスのためのハンドオフを実行することと、
を備える方法。
【手続補正２】
【補正対象書類名】明細書
【補正対象項目名】０１３１
【補正方法】変更
【補正の内容】
【０１３１】
開示した例の前述の説明は、当業者が本発明を製作または使用できるように与えられている。これらの例の様々な変更形態は、当業者には容易に明らかになるものであり、本明細書で定義した一般原理は、本開示の趣旨または範囲から逸脱することなく他の例に適用できる。したがって、本発明は、本明細書で示した例に限定されるものではなく、本明細書で開示した原理および新規の特徴と合致する最も広い範囲が与えられるべきである。
以下に、本願出願の当初の特許請求の範囲に記載された発明を付記する。
［Ｃ１］
フェムトセル機能を使用可能にするための方法であって、
第２のデバイスと通信するための発信メッセージを第１のデバイスから受信することと、
前記第１のデバイスと前記第２のデバイスとが地理的に近接しているかどうかを判断することと、
フェムト対応デバイスが前記第１のデバイスと前記第２のデバイスとに地理的に近接しているかどうかを判断することと、
前記第１のデバイスと前記第２のデバイスと前記フェムト対応デバイスとが地理的に近接している場合、前記フェムト対応デバイスへの前記第１のデバイスのためのハンドオフを実行することと、
を備える方法。
［Ｃ２］
前記フェムト対応デバイスがモバイルフェムト対応デバイスであるＣ１に記載の方法。
［Ｃ３］
前記第１のデバイスが前記フェムト対応デバイスであるＣ２に記載の方法。
［Ｃ４］
前記第２のデバイスが前記フェムト対応デバイスであるＣ２に記載の方法。
［Ｃ５］
前記第１のデバイスと前記第２のデバイスとが非フェムト対応デバイスであるＣ２に記載の方法。
［Ｃ６］
地理的近接度が、ロケーション情報を使用して判断されるＣ１に記載の方法。
［Ｃ７］
地理的近接度を判断することが、
前記第１のデバイスと前記第２のデバイスと前記フェムト対応デバイスとが無線アクセス・ネットワーク（ＲＡＮ）のカバレージ内にあるかどうかを判断することと、
パイロットを送信するように前記フェムト対応デバイスに命令することと、
前記第１のデバイスと前記第２のデバイスとから前記パイロット信号の報告を受信することと、
前記パイロット信号の前記報告に基づいて、前記第１のデバイスと前記第２のデバイスと前記フェムト対応デバイスとが近接しているかどうかを判断することと、
を備えるＣ１に記載の方法。
［Ｃ８］
前記第１のデバイスのユーザコードおよび検索要求を前記フェムト対応デバイスに通信することと、
前記フェムト対応デバイスから測定報告を受信することと、
をさらに備えるＣ１に記載の方法。
［Ｃ９］
前記フェムト対応デバイスに擬似ランダム雑音（ＰＮ）オフセットと指定された周波数情報とを送信すること、
をさらに備えるＣ１に記載の方法。
［Ｃ１０］
前記フェムト対応デバイスの能力しきい値と、前記フェムト対応デバイスの現在の負荷と、前記フェムト対応デバイスの信号強度と、前記フェムト対応デバイスによる送信のために利用可能な周波数と、前記フェムト対応デバイスのデータレートとからなるグループから選択された少なくとも１つのファクタに基づいて、前記ハンドオフを実行すべきかどうかを判断すること、
をさらに備えるＣ１に記載の方法。
［Ｃ１１］
複数のフェムト対応デバイスが前記第１のデバイスと前記第２のデバイスとに地理的に近接しており、前記方法が、
前記複数のフェムト対応デバイスのうちの１つを選択することと、
前記選択されたフェムト対応デバイスへの前記第１のデバイスのためのハンドオフを実行することと、
をさらに備えるＣ１に記載の方法。
［Ｃ１２］
前記フェムト対応デバイスが、近接度と、前記フェムト対応デバイスの能力しきい値と、前記フェムト対応デバイスの現在の負荷と、前記フェムト対応デバイスの信号強度と、前記フェムト対応デバイスによる送信のために利用可能な周波数と、前記フェムト対応デバイスのデータレートとからなるグループから選択された少なくとも１つに基づいて選択されるＣ１１に記載の方法。
［Ｃ１３］
第２のデバイスと通信するための発信要求を第１のデバイスから受信するための手段と、
前記第１のデバイスと前記第２のデバイスとが地理的に近接しているかどうかと、フェムト対応デバイスが前記第１のデバイスと前記第２のデバイスとに地理的に近接しているかどうかとを判断するための手段と、
前記第１のデバイスと前記第２のデバイスと前記フェムト対応デバイスとが地理的に近接している場合、前記フェムト対応デバイスへの前記第１のデバイスのためのハンドオフを実行するための手段と、
を備えるワイヤレス通信装置。
［Ｃ１４］
前記第１のモバイル・デバイスと前記第２のモバイル・デバイスとの地理的近接度を判断するための前記手段が、
前記第１のデバイスと前記第２のデバイスと前記フェムト対応デバイスとが無線アクセス・ネットワーク（ＲＡＮ）のカバレージ内にあるかどうかを判断するための手段と、
パイロットを送信するように前記フェムト対応デバイスに命令するための手段と、
前記第１のデバイスと前記第２のデバイスとから前記パイロット信号の報告を受信するための手段と、
前記パイロット信号の前記報告に基づいて、前記第１のデバイスと前記第２のデバイスと前記フェムト対応デバイスとが近接しているかどうかを判断するための手段と、
を備えるＣ１３に記載のワイヤレス通信装置。
［Ｃ１５］
第２のデバイスと通信するための発信要求を第１のデバイスから受信するための受信機と、
前記第１のデバイスと前記第２のデバイスとが地理的に近接しているかどうかと、フェムト対応デバイスが前記第１のデバイスと前記第２のデバイスとに地理的に近接しているかどうかとを判断するためのプロセッサと、
前記第１のデバイスと前記第２のデバイスと前記フェムト対応デバイスとが地理的に近接している場合、前記フェムト対応デバイスへの前記第１のデバイスのためのハンドオフを実行するための送信機と、
を備えるワイヤレス通信装置。
［Ｃ１６］
前記フェムト対応デバイスがモバイルフェムト対応デバイスであるＣ１５に記載のワイヤレス通信装置。
［Ｃ１７］
前記第１のデバイスが前記フェムト対応デバイスであるＣ１６に記載のワイヤレス通信装置。
［Ｃ１８］
前記第２のデバイスが前記フェムト対応デバイスであるＣ１６に記載のワイヤレス通信装置。
［Ｃ１９］
前記第１のデバイスと前記第２のデバイスとが非フェムト対応デバイスであるＣ１６に記載のワイヤレス通信装置。
［Ｃ２０］
前記プロセッサが、
前記第１のデバイスと前記第２のデバイスと前記フェムト対応デバイスとが無線アクセス・ネットワーク（ＲＡＮ）のカバレージ内にあるかどうかを判断することと、
パイロットを送信するように前記フェムト対応デバイスに命令することと、
前記第１のデバイスと前記第２のデバイスとから前記パイロット信号の報告を受信することと、
前記パイロット信号の前記報告に基づいて、前記第１のデバイスと前記第２のデバイスと前記フェムト対応デバイスとが近接しているかどうかを判断することと、
によって地理的近接度を判断するように構成されたＣ１５に記載のワイヤレス通信装置。
［Ｃ２１］
前記送信機が、前記第１のデバイスのユーザコードおよび検索要求を前記フェムト対応デバイスに通信するように構成され、
前記受信機は、前記フェムト対応デバイスから測定報告を受信するように構成されたＣ１５に記載のワイヤレス通信装置。
［Ｃ２２］
前記送信機は、前記フェムト対応デバイスに擬似ランダム雑音（ＰＮ）オフセットと指定された周波数情報とを送信するように構成されたＣ１５に記載のワイヤレス通信装置。
［Ｃ２３］
前記プロセッサは、前記フェムト対応デバイスの能力しきい値と、前記フェムト対応デバイスの現在の負荷と、前記フェムト対応デバイスの信号強度と、前記フェムト対応デバイスによる送信のために利用可能な周波数と、前記フェムト対応デバイスのデータレートとからなるグループから選択された少なくとも１つの方法に基づいて、前記ハンドオフを実行すべきかどうかを判断するように構成されたＣ１５に記載のワイヤレス通信装置。
［Ｃ２４］
複数のフェムト対応デバイスが前記第１のデバイスと前記第２のデバイスとに地理的に近接しており、前記プロセッサが、前記複数のフェムト対応デバイスのうちの１つを選択することと、前記選択されたフェムト対応デバイスへの前記第１のデバイスのためのハンドオフを実行することとを行うように構成された、Ｃ１５に記載のワイヤレス通信装置。
［Ｃ２５］
前記プロセッサは、近接度と、前記フェムト対応デバイスの能力しきい値と、前記フェムト対応デバイスの現在の負荷と、前記フェムト対応デバイスの信号強度と、前記フェムト対応デバイスによる送信のために利用可能な周波数と、前記フェムト対応デバイスのデータレートとからなるグループから選択された少なくとも１つに基づいて、前記フェムト対応デバイスを選択するように構成されたＣ２４に記載のワイヤレス通信装置。
［Ｃ２６］
第２のデバイスと通信するための発信メッセージを第１のデバイスから受信することをコンピュータに行わせるためのコードの第１のセットと、
前記第１のデバイスと前記第２のデバイスとが地理的に近接しているかどうかを判断することを前記コンピュータに行わせるためのコードの第２のセットと、
フェムト対応デバイスが前記第１のデバイスと前記第２のデバイスとに地理的に近接しているかどうかを判断することを前記コンピュータに行わせるためのコードの第３のセットと、
前記第１のデバイスと前記第２のデバイスと前記フェムト対応デバイスとが地理的に近接している場合、前記フェムト対応デバイスへの前記第１のデバイスのためのハンドオフを実行することを前記コンピュータに行わせるためのコードの第４のセットと、
を備えるコンピュータ可読媒体を備えるコンピュータ・プログラム製品。
［Ｃ２７］
フェムトセル機能を使用可能にするように構成された少なくとも１つのプロセッサであって、
第２のデバイスと通信するための発信要求を第１のデバイスから受信するための第１のモジュールと、
前記第１のデバイスと前記第２のデバイスとが地理的に近接しているかどうかを判断するための第２のモジュールと、
フェムト対応デバイスが前記第１のデバイスと前記第２のデバイスとに地理的に近接しているかどうかを判断するための第３のモジュールと、
前記第１のデバイスと前記第２のデバイスと前記フェムト対応デバイスとが地理的に近接している場合、前記フェムト対応デバイスへの前記第１のデバイスのためのハンドオフを実行するための第４のモジュールと、
を備えるプロセッサ。
［Ｃ２８］
前記第１のデバイスと前記第２のデバイスと前記フェムト対応デバイスとが無線アクセス・ネットワーク（ＲＡＮ）のカバレージ内にあるかどうかを判断するための第５のモジュールと、
パイロットを送信するように前記フェムト対応デバイスに命令するための第６のモジュールと、
前記第１のデバイスと前記第２のデバイスとから前記パイロット信号の報告を受信するための第７のモジュールと、
前記パイロット信号の前記報告に基づいて、前記第１のデバイスと前記第２のデバイスと前記フェムト対応デバイスとが近接しているかどうかを判断するための第８のモジュールと、
をさらに備えるＣ２７に記載のプロセッサ。
［Ｃ２９］
フェムト対応デバイスを介した通信を可能にするための方法であって、
第２のデバイスと通信するための第１のデバイスからの発信に関する通信を無線アクセス・ネットワーク（ＲＡＮ）から受信することと、
前記ＲＡＮからの前記通信に基づいて前記第１のデバイスと前記第２のデバイスとの間の通信をセットアップすることと、
を備える方法。
［Ｃ３０］
前記フェムト対応デバイスがモバイルであるＣ２９に記載の方法。
［Ｃ３１］
前記第１のデバイスが前記フェムト対応デバイスであるＣ３０に記載の方法。
［Ｃ３２］
前記第２のデバイスが前記フェムト対応デバイスであるＣ３０に記載の方法。
［Ｃ３３］
前記第１のデバイスと前記第２のデバイスとが非フェムト対応デバイスであり、前記方法が、
前記第１のデバイスから通信を受信することと、
前記通信を前記第２のデバイスに送信することと、
をさらに備えるＣ３０に記載の方法。
［Ｃ３４］
前記第１のデバイスおよび前記第２のデバイスのうちの少なくとも１つのユーザコード情報および検索要求を前記ＲＡＮから受信することと、
前記ＲＡＮにＥｃｐ測定値を報告することと、
をさらに備えるＣ２９に記載の方法。
［Ｃ３５］
前記ＲＡＮから擬似ランダム雑音（ＰＮ）オフセットと指定された周波数情報とを受信することをさらに備えるＣ２９に記載の方法。
［Ｃ３６］
前記指定された周波数上で自己較正を実行することをさらに備えるＣ３５に記載の方法。
［Ｃ３７］
モバイル通信装置であって、
順方向リンク上では無線アクセス・ネットワーク（ＲＡＮ）から、および逆方向リンク上では少なくとも１つのモバイル通信装置から、ワイヤレス通信を受信するための手段と、
逆方向リンク上では前記ＲＡＮに、および順方向リンク上では前記少なくとも１つのモバイル通信装置に、ワイヤレス情報を送信するための手段と、を備えるモバイル通信装置。
［Ｃ３８］
前記ＲＡＮから受信したユーザコード情報および検索要求情報を記憶するための手段と、
Ｅｃｐを測定するための手段と、をさらに備えるＣ３７に記載のモバイル通信装置。
［Ｃ３９］
モバイル通信装置であって、
順方向リンク上では無線アクセス・ネットワーク（ＲＡＮ）から、および逆方向リンク上では少なくとも１つのモバイル通信装置から、ワイヤレス通信を受信するための受信機と、
逆方向リンク上では前記ＲＡＮに、および順方向リンク上では前記少なくとも１つのモバイル通信装置に、ワイヤレス情報を送信するための送信機と、
を備えるモバイル通信装置。
［Ｃ４０］
移動局モデム（ＭＳＭ）チップセットと、
セルサイト・モデム（ＣＳＭ）チップセットと、
をさらに備えるＣ３９に記載のモバイル通信装置。
［Ｃ４１］
前記受信機が、前記逆方向リンク上で第１のモバイル・デバイスから通信を受信するように構成され、前記送信機は、前記順方向リンク上で第２のモバイル・デバイスに通信を送信するように構成されたＣ３９に記載のモバイル通信装置。
［Ｃ４２］
前記ＲＡＮから受信したユーザコード情報および検索要求情報を記憶するためのメモリと、
Ｅｃｐを測定するための測定要素と、
をさらに備えるＣ３９に記載のモバイル通信装置。
［Ｃ４３］
前記ＲＡＮから受信した擬似ランダム雑音（ＰＮ）オフセットと指定された周波数情報とを記憶するためのメモリをさらに備えるＣ３９に記載のモバイル通信装置。
［Ｃ４４］
前記指定された周波数上で自己較正を実行するための較正器をさらに備えるＣ４３に記載のモバイル通信装置。
［Ｃ４５］
ワイヤレス・フェムトセル通信を送信するための手段と、
第２のデバイスと通信するための第１のデバイスからの発信に関する通信をＲＡＮから受信する手段と、
前記ＲＡＮからの前記通信に基づいて前記第１のデバイスと前記第２のデバイスとの間の通信をセットアップするための手段と、
を備えるワイヤレス通信装置。
［Ｃ４６］
前記第１のデバイスと前記第２のデバイスとが非フェムト対応デバイスであり、前記ワイヤレス通信装置は、
前記第１のデバイスから通信を受信するための手段と、
前記通信を前記第２のデバイスに送信するための手段と、
をさらに備えるＣ４５に記載のワイヤレス通信装置。
［Ｃ４７］
ワイヤレス・フェムトセル通信を送信することをコンピュータに行わせるためのコードの第１のセットと、
第２のデバイスと通信するための第１のデバイスからの発信に関する通信をＲＡＮから受信することを前記コンピュータに行わせるためのコードの第２のセットと、
前記ＲＡＮからの前記通信に基づいて前記第１のデバイスと前記第２のデバイスとの間の通信をセットアップすることを前記コンピュータに行わせるためのコードの第３のセットと、
を備えるコンピュータ可読媒体を備えるコンピュータ・プログラム製品。
［Ｃ４８］
前記コンピュータ可読媒体が、
前記第１のデバイスから通信を受信することを前記コンピュータに行わせるためのコードの第４のセットと、
前記通信を前記第２のデバイスに送信することを前記コンピュータに行わせるためのコードの第５のセットと、
を備えるＣ４７に記載のコンピュータ・プログラム製品。
［Ｃ４９］
フェムトセル機能を使用可能にするように構成された少なくとも１つのプロセッサであって、
ワイヤレス・フェムトセル通信を送信するための第１のモジュールと、
第２のデバイスと通信するための第１のデバイスからの発信に関する通信をＲＡＮから受信するための第２のモジュールと、
前記ＲＡＮからの前記通信に基づいて前記第１のデバイスと前記第２のデバイスとの間の通信をセットアップするための第３のモジュールと、
を備える少なくとも１つのプロセッサ。
［Ｃ５０］
前記第１のデバイスと前記第２のデバイスとが非フェムト対応デバイスであり、前記少なくとも１つのプロセッサが、
前記第１のデバイスから通信を受信するための第４のモジュールと、
前記通信を前記第２のデバイスに送信するための第５のモジュールと
をさらに備えるＣ４９に記載の少なくとも１つのプロセッサ。
【外国語明細書】
2015084532000001.pdf